(57)【要約】【課題】  波長多重信号光の中継経路の選択の自由度が向上した伝送装置及び伝送システムを提供する。【解決手段】  伝送装置は、第１波長帯の第１波長多重信号光と第２波長帯の第２波長多重信号光の合波光の第１入力ポートと、第１波長帯の第３波長多重信号光と第２波長帯の第４波長多重信号光の合波光の第２入力ポートと、第１波長多重信号光を第２波長帯に変換する第１波長変換器と、第３波長多重信号光を第２波長帯に変換する第２波長変換器と、第１〜第４波長多重信号光の波長光のうち、波長が重複せずに第１波長帯に収容される波長光を波長多重して第１出力信号光を生成し、波長が重複せずに第２波長帯に収容される第２波長光を波長多重して第２出力信号光を生成する生成部と、第１出力信号光を第１波長帯に変換する第３波長変換器と、第１及び第２出力信号光の合波光を生成する合波器と、合波光の出力ポートとを有する。【選択図】図２
2020137042.tif 000002
【特許請求の範囲】
【請求項１】
第１波長帯の第１波長多重信号光と第２波長帯の第２波長多重信号光が合波された第１入力信号光が入力される第１入力ポートと、
前記第１波長帯の第３波長多重信号光と前記第２波長帯の第４波長多重信号光が合波された第２入力信号光が入力される第２入力ポートと、
前記第１波長多重信号光の波長帯を前記第１波長帯から前記第２波長帯に変換する第１波長変換器と、
前記第３波長多重信号光の波長帯を前記第１波長帯から前記第２波長帯に変換する第２波長変換器と、
前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成する生成部と、
前記第１出力信号光の波長帯を前記第２波長帯から前記第１波長帯に変換する第３波長変換器と、
前記第３波長変換器により波長帯が変換された前記第１出力信号光、及び前記第２出力信号光を合波することにより合波光を生成する第１合波器と、
前記合波光を出力する出力ポートとを有することを特徴とする伝送装置。
【請求項２】
前記生成部は、
前記複数の第１波長光を波長多重することにより前記第１出力信号光を生成する第１波長選択スイッチと、
前記複数の第２波長光を波長多重することにより前記第２出力信号光を生成する第２波長選択スイッチと、
前記第１波長多重信号光に含まれる波長光を前記第１波長選択スイッチまたは前記第２波長選択スイッチに出力する第３波長選択スイッチと、
前記第２波長多重信号光に含まれる波長光を前記第１波長選択スイッチまたは前記第２波長選択スイッチに出力する第４波長選択スイッチと、
前記第３波長多重信号光に含まれる波長光を前記第１波長選択スイッチまたは前記第２波長選択スイッチに出力する第５波長選択スイッチと、
前記第４波長多重信号光に含まれる波長光を前記第１波長選択スイッチまたは前記第２波長選択スイッチに出力する第６波長選択スイッチとを含むことを特徴とする請求項１に記載の伝送装置。
【請求項３】
前記第１波長選択スイッチまたは前記第２波長選択スイッチに前記第２波長帯の波長の波長光を送信する送信器を有することを特徴とする請求項２に記載の伝送装置。
【請求項４】
前記第３波長選択スイッチ、前記第４波長選択スイッチ、前記第５波長選択スイッチ、または前記第６波長選択スイッチから前記第２波長帯の波長の波長光を受信する受信器を有することを特徴とする請求項２または３に記載の伝送装置。
【請求項５】
前記生成部は、
前記第１波長多重信号光、前記第２波長多重信号光、前記第３波長多重信号光、及び前記第４波長多重信号光のうち、２つの波長多重信号光の一方に含まれる前記複数の第１波長光を出力する第１ポートと、前記２つの波長多重信号光の他方に含まれる前記複数の第２波長光を出力する第２ポートとを有する第７波長選択スイッチと、
前記第１波長多重信号光、前記第２波長多重信号光、前記第３波長多重信号光、及び前記第４波長多重信号光のうち、他の２つの波長多重信号光の一方に含まれる前記複数の第１波長光を出力する第３ポートと、前記他の２つの波長多重信号光の他方に含まれる前記複数の第２波長光を出力する第４ポートとを有する第８波長選択スイッチと、
前記第１ポート及び前記第３ポートから入力された前記複数の第１波長光を合波する第２合波器と、
前記第２ポート及び前記第４ポートから入力された前記複数の第２波長光を合波する第３合波器とを含むことを特徴とする請求項１に記載の伝送装置。
【請求項６】
前記生成部は、
前記複数の第１波長光を波長多重することにより前記第１出力信号光を生成する第９波長選択スイッチと、
前記複数の第２波長光を波長多重することにより前記第２出力信号光を生成する第１０波長選択スイッチと、
前記第１波長多重信号光を分波する第１分波器と、
前記第２波長多重信号光を分波する第２分波器と、
前記第３波長多重信号光を分波する第３分波器と、
前記第４波長多重信号光を分波する第４分波器と
前記第１分波器から入力された前記第１波長多重信号光、及び前記第２分波器から入力された前記第２波長多重信号光に含まれる前記複数の第１波長光を前記第９波長選択スイッチに出力する第１１波長選択スイッチと、
前記第１分波器から入力された前記第１波長多重信号光、及び前記第２分波器から入力された前記第２波長多重信号光に含まれる前記複数の第２波長光を前記第１０波長選択スイッチに出力する第１２波長選択スイッチと、
前記第３分波器から入力された前記第３波長多重信号光、及び前記第４分波器から入力された前記第４波長多重信号光に含まれる前記複数の第１波長光を前記第９波長選択スイッチに出力する第１３波長選択スイッチと、
前記第３分波器から入力された前記第３波長多重信号光、及び前記第４分波器から入力された前記第４波長多重信号光に含まれる前記複数の第２波長光を前記第１０波長選択スイッチに出力する第１４波長選択スイッチとを含むことを特徴とする請求項１に記載の伝送装置。
【請求項７】
前記第１波長変換器に入力される前記第１波長多重信号光を増幅する第１光増幅器、及び前記第２波長変換器に入力される前記第３波長多重信号光を増幅する第２光増幅器の少なくとも一方を有することを特徴とする請求項１乃至６の何れかに記載の伝送装置。
【請求項８】
前記第３波長変換器により波長帯が変換されて前記第１合波器に入力される前記第１出力信号光を増幅する第３光増幅器を有することを特徴とする請求項１乃至７の何れかに記載の伝送装置。
【請求項９】
第１伝送装置と、
前記第１伝送装置と伝送路を介して接続された第２伝送装置とを有し、
前記第１伝送装置は、
第１波長帯の第１波長多重信号光と第２波長帯の第２波長多重信号光が合波された第１入力信号光が入力される第１入力ポートと、
前記第１波長帯の第３波長多重信号光と前記第２波長帯の第４波長多重信号光が合波された第２入力信号光が入力される第２入力ポートと、
前記第１波長多重信号光の波長帯を前記第１波長帯から前記第２波長帯に変換する第１波長変換器と、
前記第３波長多重信号光の波長帯を前記第１波長帯から前記第２波長帯に変換する第２波長変換器と、
前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成する生成部と、
前記第１出力信号光の波長帯を前記第２波長帯から前記第１波長帯に変換する第３波長変換器と、
前記第３波長変換器により波長帯が変換された前記第１出力信号光、及び前記第２出力信号光を合波することにより合波光を生成する合波器と、
前記合波光を出力する出力ポートとを有し、
前記第２伝送装置は、
前記合波光から前記第１出力信号光及び前記第２出力信号光を分波する分波器と、
前記第１出力信号光の波長帯を前記第１波長帯から前記第２波長帯に変換する第４波長変換器と、
前記第４波長変換器により波長帯が変換された前記第１出力信号光に含まれる各波長光と、前記第２出力信号光に含まれる各波長光とから、前記第１波長多重信号光、前記第２波長多重信号光、前記第３波長多重信号光、及び前記第４波長多重信号光を再生する再生部と、
前記第１波長多重信号光の波長帯を前記第２波長帯から前記第１波長帯に変換する第５波長変換器と、
前記第３波長多重信号光の波長帯を前記第２波長帯から前記第１波長帯に変換する第６波長変換器と、
前記第５波長変換器により波長帯が変換された前記第１波長多重信号光、及び前記第２波長多重信号光を合波することにより前記第１入力信号光を生成する第１受信側合波器と、
前記第４波長変換器により波長帯が変換された前記第３波長多重信号光、及び前記第４波長多重信号光を合波することにより前記第２入力信号光を生成する第２受信側合波器とを有することを特徴とする伝送システム。
【請求項１０】
伝送装置と、
前記伝送装置を監視制御する監視制御装置とを有し、
前記伝送装置は、
第１波長帯の第１波長多重信号光と第２波長帯の第２波長多重信号光が合波された第１入力信号光が入力される第１入力ポートと、
前記第１波長帯の第３波長多重信号光と前記第２波長帯の第４波長多重信号光が合波された第２入力信号光が入力される第２入力ポートと、
前記第１波長多重信号光の波長帯を前記第１波長帯から前記第２波長帯に変換する第１波長変換器と、
前記第３波長多重信号光の波長帯を前記第１波長帯から前記第２波長帯に変換する第２波長変換器と、
前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成する生成部と、
前記第１出力信号光の波長帯を前記第２波長帯から前記第１波長帯に変換する第３波長変換器と、
前記第３波長変換器により波長帯が変換された前記第１出力信号光、及び前記第２出力信号光を合波することにより合波光を生成する合波器と、
前記合波光を出力する出力ポートと、
前記生成部に対して前記複数の第１波長光及び前記複数の第２波長光の各波長を設定する設定部とを有し、
前記監視制御装置は、
前記第１波長帯の前記第１波長多重信号光及び前記第３波長多重信号光に含まれる各波長光の波長と、前記第２波長帯の前記第２波長多重信号光及び前記第４波長多重信号光に含まれる各波長光の波長を示す波長情報を記憶する記憶部と、
前記波長情報に基づき、前記第１波長多重信号光及び前記第３波長多重信号光に含まれる各波長光の波長の重複、及び前記第２波長多重信号光及び前記第４波長多重信号光に含まれる各波長光の波長の重複を検出し、波長の重複を避けるように前記複数の第１波長光及び前記複数の第２波長光の各波長を決定する決定処理部と、
前記複数の第１波長光及び前記複数の第２波長光の各波長を前記設定部に通知する通知部とを有し、
前記設定部は、前記通知部の通知に従って前記複数の第１波長光及び前記複数の第２波長光の各波長を設定することを特徴とする伝送システム。
【発明の詳細な説明】
【技術分野】
【０００１】
本件は、伝送装置及び伝送システムに関する。
【背景技術】
【０００２】
通信需要の増加に伴い、波長多重光伝送（WDM: Wavelength Division Multiplexing）の伝送容量の増加が要求されている。例えば、Ｃ（Conventional）バンドの波長多重信号光だけで伝送を行う場合、その波長帯は１５３０〜１５６５（nm）に限られる。
【０００３】
このため、例えば、１５６５〜１６２５（nm）のＬ（Long）バンドや１４６０〜１５３０（nm）のＳ（Short）バンドまで波長帯を拡張することにより、ＷＤＭの伝送容量を増加させることが検討されている。例えば特許文献１には、Ｃバンドの波長多重信号光をＬバンド及びＳバンドの波長多重信号光に変換することにより、Ｃバンド、Ｌバンド、及びＳバンドの各波長多重信号光を合波して伝送する技術が記載されている。
【先行技術文献】
【特許文献】
【０００４】
【特許文献１】特開２００３−１８８８３０号公報
【発明の概要】
【発明が解決しようとする課題】
【０００５】
例えばＣバンド及びＬバンドの各波長多重信号光の合波光を中継するノードにおいて、ある中継経路のＬバンドの波長多重信号光の送信先の隣接ノードが、他の中継経路のＬバンドの波長多重信号光の送信先の隣接ノードが同一となる場合がある。この場合、一方の波長多重信号光に、波長光が収容されていないチャネル（以下、「空きチャネル」と表記）に、他方の波長多重信号光に含まれる各波長光を収容することができれば、１つの波長多重信号光に束ねて中継することができる。
【０００６】
しかし、何れの波長多重信号光にも、他方の波長多重信号光に含まれる各波長光を収容することができる空きチャネルがなければ、各波長多重信号光を束ねることができない。このため、例えば一方の波長多重信号光の中継経路を、当該ノードを経由しない他の中継経路に変更する必要があり、中継経路の選択が制限されてしまう。したがって、例えば最短距離の中継経路を選択することができないなどの不利益が生ずるおそれがある。
【０００７】
また、隣接ノード間が複数の伝送路（例えば複数の光ファイバコア）により接続されていれば、上記の場合でも、伝送路ごとに個別に波長多重信号光を中継することは可能であるが、伝送路の施設コストが単一の伝送路で接続する場合より増加するという問題が生ずる。
【０００８】
そこで本件は、波長多重信号光の中継経路の選択の自由度が向上した伝送装置及び伝送システムを提供することを目的とする。
【課題を解決するための手段】
【０００９】
１つの態様では、伝送装置は、第１波長帯の第１波長多重信号光と第２波長帯の第２波長多重信号光が合波された第１入力信号光が入力される第１入力ポートと、前記第１波長帯の第３波長多重信号光と前記第２波長帯の第４波長多重信号光が合波された第２入力信号光が入力される第２入力ポートと、前記第１波長多重信号光の波長帯を前記第１波長帯から前記第２波長帯に変換する第１波長変換器と、前記第３波長多重信号光の波長帯を前記第１波長帯から前記第２波長帯に変換する第２波長変換器と、前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成する生成部と、前記第１出力信号光の波長帯を前記第２波長帯から前記第１波長帯に変換する第３波長変換器と、前記第３波長変換器により波長帯が変換された前記第１出力信号光、及び前記第２出力信号光を合波することにより合波光を生成する第１合波器と、前記合波光を出力する出力ポートとを有する。
【００１０】
１つの態様では、伝送システムは、第１伝送装置と、前記第１伝送装置と伝送路を介して接続された第２伝送装置とを有し、前記第１伝送装置は、第１波長帯の第１波長多重信号光と第２波長帯の第２波長多重信号光が合波された第１入力信号光が入力される第１入力ポートと、前記第１波長帯の第３波長多重信号光と前記第２波長帯の第４波長多重信号光が合波された第２入力信号光が入力される第２入力ポートと、前記第１波長多重信号光の波長帯を前記第１波長帯から前記第２波長帯に変換する第１波長変換器と、前記第３波長多重信号光の波長帯を前記第１波長帯から前記第２波長帯に変換する第２波長変換器と、前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成する生成部と、前記第１出力信号光の波長帯を前記第２波長帯から前記第１波長帯に変換する第３波長変換器と、前記第３波長変換器により波長帯が変換された前記第１出力信号光、及び前記第２出力信号光を合波することにより合波光を生成する合波器と、前記合波光を出力する出力ポートとを有し、前記第２伝送装置は、前記合波光から前記第１出力信号光及び前記第２出力信号光を分波する分波器と、前記第１出力信号光の波長帯を前記第１波長帯から前記第２波長帯に変換する第４波長変換器と、前記第４波長変換器により波長帯が変換された前記第１出力信号光に含まれる各波長光と、前記第２出力信号光に含まれる各波長光とから、前記第１波長多重信号光、前記第２波長多重信号光、前記第３波長多重信号光、及び前記第４波長多重信号光を再生する再生部と、前記第１波長多重信号光の波長帯を前記第２波長帯から前記第１波長帯に変換する第５波長変換器と、前記第３波長多重信号光の波長帯を前記第２波長帯から前記第１波長帯に変換する第６波長変換器と、前記第５波長変換器により波長帯が変換された前記第１波長多重信号光、及び前記第２波長多重信号光を合波することにより前記第１入力信号光を生成する第１受信側合波器と、前記第４波長変換器により波長帯が変換された前記第３波長多重信号光、及び前記第４波長多重信号光を合波することにより前記第２入力信号光を生成する第２受信側合波器とを有する。
【００１１】
１つの態様では、他の伝送システムは、伝送装置と、前記伝送装置を監視制御する監視制御装置とを有し、前記伝送装置は、第１波長帯の第１波長多重信号光と第２波長帯の第２波長多重信号光が合波された第１入力信号光が入力される第１入力ポートと、前記第１波長帯の第３波長多重信号光と前記第２波長帯の第４波長多重信号光が合波された第２入力信号光が入力される第２入力ポートと、前記第１波長多重信号光の波長帯を前記第１波長帯から前記第２波長帯に変換する第１波長変換器と、前記第３波長多重信号光の波長帯を前記第１波長帯から前記第２波長帯に変換する第２波長変換器と、前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成する生成部と、前記第１出力信号光の波長帯を前記第２波長帯から前記第１波長帯に変換する第３波長変換器と、前記第３波長変換器により波長帯が変換された前記第１出力信号光、及び前記第２出力信号光を合波することにより合波光を生成する合波器と、前記合波光を出力する出力ポートと、前記生成部に対して前記複数の第１波長光及び前記複数の第２波長光の各波長を設定する設定部とを有し、前記監視制御装置は、前記第１波長帯の前記第１波長多重信号光及び前記第３波長多重信号光に含まれる各波長光の波長と、前記第２波長帯の前記第２波長多重信号光及び前記第４波長多重信号光に含まれる各波長光の波長を示す波長情報を記憶する記憶部と、前記波長情報に基づき、前記第１波長多重信号光及び前記第３波長多重信号光に含まれる各波長光の波長の重複、及び前記第２波長多重信号光及び前記第４波長多重信号光に含まれる各波長光の波長の重複を検出し、波長の重複を避けるように前記複数の第１波長光及び前記複数の第２波長光の各波長を決定する決定処理部と、前記複数の第１波長光及び前記複数の第２波長光の各波長を前記設定部に通知する通知部とを有し、前記設定部は、前記通知部の通知に従って前記複数の第１波長光及び前記複数の第２波長光の各波長を設定する。
【発明の効果】
【００１２】
１つの側面として、波長多重信号光の中継経路の選択の自由度を向上することができる。
【図面の簡単な説明】
【００１３】
【図１】比較例の伝送方法を示す図である。
【図２】実施例の伝送方法を示す図である。
【図３】波長変換器の一例を示す構成図である。
【図４】第１実施例におけるノード＃１の伝送装置を示す構成図である。
【図５】Ｌバンドの波長多重信号光とＬバンドの波長多重信号光を波長多重して中継する例を示す図である。
【図６】Ｃバンドの波長多重信号光とＬバンドの波長多重信号光を波長多重して中継する例を示す図である。
【図７】ノード＃５の伝送装置の一例を示す構成図である。
【図８】ネットワーク監視制御装置の一例を示す構成図である。
【図９】縮退四光波混合による波長変換方式と非縮退四光波混合による波長変換方式の例を示すスペクトル図である。
【図１０】チャネルの割り当て処理の一例を示すフローチャートである。
【図１１】入力ポートのチャネル設定データベースの例を示す図である。
【図１２】入力ポートのチャネル設定データベースの例を示す図である。
【図１３】出力ポートのチャネル設定データベースの例である。
【図１４】設定処理部の一例を示す構成図である。
【図１５】設定処理部の処理の一例を示すフローチャートである。
【図１６】波長多重信号光を光ファイバの種類に応じた波長帯で伝送する例を示す図である。
【図１７】波長光のアド機能及びドロップ機能を有する波長多重部の一例を示す構成図である。
【図１８】接続構成データベースの一例を示す図である。
【図１９】波長光のアド機能及びドロップ機能を有する波長多重部の他の例を示す構成図である。
【図２０】光増幅器が追加された伝送装置の一例を示す構成図である。
【図２１】第２実施例におけるノード＃１の伝送装置を示す構成図である。
【図２２】第３実施例におけるノード＃１の伝送装置を示す構成図である。
【図２３】Ｌバンド、Ｃバンド、及びＳバンドの波長多重信号光を合波する伝送装置の一例を示す構成図である。
【発明を実施するための形態】
【００１４】
図１は、比較例の伝送方法を示す図である。一例として、２つのリング型のネットワークＮＷ＃１，ＮＷ＃２を例示する。ネットワークＮＷ＃１には、リング状に接続されたノード＃１〜＃４が含まれ、ネットワーク＃２には、リング状に接続されたノード＃５〜＃８が含まれている。
【００１５】
ネットワークＮＷ＃１のノード＃１とネットワークＮＷ＃２のノード＃５は、伝送路９を介して互いに接続されている。ネットワークＮＷ＃１，ＮＷ＃２は、ノード＃１，＃５を介して互いに通信する。各ノード＃１〜＃８には、複数の波長帯の波長多重信号光を伝送する伝送装置が設けられている。
【００１６】
ネットワーク監視制御装置８は、例えばＮＥ（Network Element）−ＯｐＳ（Operating System）であり、各ノード＃１〜＃８の伝送装置を監視制御する。ネットワーク監視制御装置８は、一例としてネットワークＮＷ＃１，＃２にパスＰａを設定する。パスＰａはノード＃２、ノード＃１、ノード＃５、及びノード＃６をこの順に経由する。
【００１７】
ノード＃２の複数の送信器Ｔｘは、波長が相違する複数の波長光を送信する。ノード＃２の伝送装置は、複数の波長光を波長多重することによりＬバンドの波長多重信号光Ｓ１ａ及びＣバンドの波長多重信号光Ｓ２ａを生成し、波長多重信号光Ｓ１ａ，Ｓ２ａの合波光をパスＰａに従って送信する。
【００１８】
波長多重信号光Ｓ１ａ，Ｓ１ｂには、それぞれ、波長光を収容する複数のチャネルが割り当てられている。このため、波長多重信号光Ｓ１ａ，Ｓ１ｂには、チャネル数に応じて大容量のデータを収容することができる。
【００１９】
符号Ｗ１は、ノード＃２の伝送装置から送信された波長多重信号光Ｓ１ａ，Ｓ２ａの合波光のスペクトルの一例を示す。例えば波長多重信号光Ｓ１ａ，Ｓ２ａは、それぞれ、９０チャネルが割り当てられていると仮定する。波長多重信号光Ｓ１ａは、９０チャネルのうち、８０チャネルに波長光が収容されており、残りの１０チャネルは、波長光が収容されていない空きチャネル（点線参照）である。
【００２０】
波長多重信号光Ｓ１ａ，Ｓ２ａはノード＃１，＃５を経由してノード＃６に伝送される。ノード＃６の伝送装置は、合波光から波長多重信号光Ｓ１ａ，Ｓ２ａを分離し、さらに波長多重信号光Ｓ１ａ，Ｓ２ａから各波長光を分離する。ノード＃６の複数の受信器Ｒｘは、各波長光を受信する。
【００２１】
ネットワーク監視制御装置８は、パスＰａの設定後に新たなパスＰｂを設定する。パスＰｂはノード＃４、ノード＃１、ノード＃５、及びノード＃８をこの順に経由する。このため、パスＰｂは、ノード＃１，＃５の間の中継区間においてパスＰａと重複する。
【００２２】
ノード＃４の複数の送信器Ｔｘは、波長が相違する複数の波長光を送信する。ノード＃４の伝送装置は、複数の波長光を波長多重することによりＬバンドの波長多重信号光Ｓ１ｂ及びＣバンドの波長多重信号光Ｓ２ｂを生成し、波長多重信号光Ｓ１ｂ，Ｓ２ｂの合波光をパスＰｂに従って送信する。
【００２３】
符号Ｗ２は、ノード＃４の伝送装置から送信される波長多重信号光Ｓ１ｂ，Ｓ２ｂの合波光のスペクトルを示す。例えば波長多重信号光Ｓ１ｂ，Ｓ２ｂは、それぞれ、９０チャネルが割り当てられていると仮定する。一例として、波長多重信号光Ｓ１ｂの各チャネルは空きチャネルであり、波長多重信号光Ｓ１ａには、１０チャネルに波長光が収容されている。
【００２４】
ノード＃１の伝送装置は、単一の伝送路９（例えば単一の光ファイバコア）を介して波長多重信号光Ｓ１ａ，Ｓ１ｂの合波光をノード＃５に中継する。このため、ノード＃１の伝送装置は、ノード＃４から入力されたパスＰｂの波長多重信号光Ｓ１ｂ，Ｓ２ｂをノード＃５に中継する場合、パスＰａの波長多重信号光Ｓ１ａ，Ｓ１ｂに合波する必要がある。
【００２５】
しかし、波長多重信号光Ｓ１ａには空きチャネルがないため、波長多重信号光Ｓ１ａと同一のＬバンドの波長多重信号光Ｓ１ｂに含まれる１０チャネル分の波長光を波長多重信号光Ｓ１ａに波長多重することができない。このため、ノード＃１の伝送装置は、パスＰｂを設定することができない（バツ印参照）。
【００２６】
したがって、ネットワーク監視制御装置８は、例えば波長多重信号光Ｓ２ａ，Ｓ２ｂの中継経路として、ノード＃４から他のネットワークＮＷ＃３を経由してノード＃８に至るパスＰｃを設定する。しかし、パスＰｃの伝送距離がパスＰｂより長い場合、波長多重信号光Ｓ２ａ，Ｓ２ｂの伝送品質が、パスＰｂを中継経路とする場合より低下するおそれがある。
【００２７】
このように、設定済みのパスＰａに従って中継される波長多重信号光Ｓ１ａ，Ｓ１ｂの空きチャネルによっては、新たなパスＰｂを設定することができず、パス選択に制約が生ずることがある。
【００２８】
そこで、実施例では、新たに設定されるパスＰｂの波長多重信号光Ｓ２ａ，Ｓ２ｂの波長帯を、設定済みのパスＰａの波長多重信号光Ｓ１ａ，Ｓ１ｂのうち、空きスロットのある波長多重信号光の波長に変換することにより、波長多重信号光Ｓ１ａ，Ｓ１ｂへの波長多重信号光Ｓ２ａ，Ｓ２ｂの波長多重を可能とする。これにより、ネットワーク監視制御装置８は、パスＰｂを設定することができるため、パス設定の自由度が向上する。
【００２９】
図２は、実施例の伝送方法を示す図である。図２において、図１と共通する構成には同一の符号を付し、その説明は省略する。
【００３０】
符号Ｗ３は、ノード＃１の伝送装置から送信された波長多重信号光Ｓ１ａ，Ｓ２ａ，Ｓ１ｂの合波光のスペクトルの一例を示す。ノード＃１の伝送装置は、パスＰｂの波長多重信号光Ｓ１ｂの波長帯をＬバンドからＣバンドに変換する。ノード＃１の伝送装置は、ノード＃２からのＣバンドの波長多重信号光Ｓ１ａにＣバンドの波長多重信号光Ｓ１ｂを波長多重する。なお、Ｃバンドの波長多重信号光Ｓ２ｂには波長光が収容されていないため、波長多重信号光Ｓ２ｂの波長帯の変換及び波長多重は行われない。
【００３１】
ノード＃１の伝送装置は、Ｌバンドの波長多重信号光Ｓ１ａとＣバンドの波長多重信号光Ｓ１ｂ，Ｓ２ａの合波光を生成してノード＃５の伝送装置に送信する。ノード＃５の伝送装置は、合波光からＬバンドの波長多重信号光Ｓ１ａとＣバンドの波長多重信号光Ｓ１ｂ，Ｓ２ａを分波する。ノード＃５の伝送装置は、Ｌバンドの波長多重信号光Ｓ１ａとＣバンドの波長多重信号光Ｓ２ａを合波してパスＰａに従いノード＃６に中継する。
【００３２】
また、ノード＃５の伝送装置はＣバンドの波長多重信号光Ｓ１ｂをＬバンドに変換してノード＃８に中継する。このため、波長多重信号光Ｓ２ｂはノード＃４からパスＰｂに従ってノード＃８まで中継される。なお、本例では、Ｌバンドの波長多重信号光Ｓ１ｂをＣバンドの波長多重信号光Ｓ２ａに波長多重する場合を挙げたが、これに限定されず、Ｃバンドの波長多重信号光Ｓ２ｂをＣバンドの波長多重信号光Ｓ２ａに波長多重してもよい。
【００３３】
各ノード＃１〜８の伝送装置は、方路ごとに波長変換器及び波長選択スイッチ（WSS: Wavelength Selective Switch）を備え、各方路のＷＳＳは互いにクロスコネクトするようにポート同士が接続されている。このため、伝送装置は、各方路から入力された任意の波長帯の波長多重信号光Ｓ１ａ，Ｓ２ａ，Ｓ１ａ，Ｓ１ｂ同士を波長多重して伝送することができる。
【００３４】
（波長変換器）
波長変換器は、波長多重信号光の波長帯をＣバンドからＬバンド、またはＬバンドからＣバンドに変換する。以下に波長変換器の例を挙げる。
【００３５】
図３は、波長変換器の一例を示す構成図である。波長変換器は、それぞれ、ＷＤＭカプラ７２と、励起光源７０，７１と、光サーキュレータ７３と、偏波ビームスプリッタ７４と、高非線形ファイバ（HNLF: Highly Non-Linear Fiber）７５とを有する。
【００３６】
ここでは、波長変換器に入力される波長多重信号光を入力光Ｌｉｎと表記する。また、波長変換器から出力される波長多重信号光を出力光Ｌｏｕｔと表記する。
【００３７】
励起光源７０，７１は励起光Ｘｍ，ＸｅをＷＤＭカプラ７２にそれぞれ出力する。各励起光Ｘｍ，Ｘｅの偏波は互いに直交する。ＷＤＭカプラ７２は２つの励起光Ｘｍ，Ｘｅを波長多重して偏波ビームスプリッタ７４に出力する。また、入力光Ｌｉｎは光サーキュレータ７３を通って偏波ビームスプリッタ７４に入力される。
【００３８】
偏波ビームスプリッタ７４には、高非線形ファイバ７５の両端が接続されている。高非線形ファイバ７５は２つの主軸を有する。偏波ビームスプリッタ７４のＴＥ偏波の出力ポートは、高非線形ファイバ７５の一端で１つの主軸に合う角度で接続されている。偏波ビームスプリッタ７４のＴＭ偏波の出力ポートは、高非線形ファイバ７５の他端で同じ主軸に合う角度で接続されている。
【００３９】
励起光Ｘｍ，Ｘｅ及び入力光Ｌｉｎは偏波ビームスプリッタ７４によりＴＥ偏波及びＴＭ偏波に分離され、ＴＥ偏波及びＴＭ偏波は高非線形ファイバ７５の別々の一端に入力されて他の一端から再び偏波ビームスプリッタ７４に入力される。
【００４０】
高非線形ファイバ７５は励起光Ｘｍ，Ｘｅ及び入力光Ｌｉｎの四波混合（FWM: Four-Wave Mixing）を発生させる。四光波混合により生じたアイドラ光は、励起光Ｘｍ，Ｘｅ及び入力光Ｌｉｎの各波長の差分に応じた波長を有する。アイドラ光は高非線形ファイバ７５から偏波ビームスプリッタ７４を通って光サーキュレータ７３に入力される。アイドラ光は光サーキュレータ７３から出力光Ｌｏｕｔとして出力される。
【００４１】
これにより、波長多重信号光の波長帯は、ＣバンドとＬバンドの間で変換される。このため、実施例の伝送装置は、波長帯が相違する波長多重信号光Ｓ１ａ，Ｓ２ａ，Ｓ１ｂ，Ｓ２ｂ同士を波長多重することができる。なお、本例の波長変換器は２つの励起光Ｘｍ，Ｘｅにより非縮退四光波混合を利用するが、単一の励起光により縮退四光波混合を利用する波長変換器が用いられてもよい。
【００４２】
次に伝送装置の構成例を説明する。
【００４３】
（第１実施例におけるノード＃１の伝送装置）
図４は、第１実施例におけるノード＃１の伝送装置を示す構成図である。ノード＃１の伝送装置は、第１伝送装置の一例であり、入力ポートＰ１ｉｎ，Ｐ２ｉｎ、出力ポートＰｏｕｔ、設定処理部１、分波器２０ａ，２０ｂ、波長変換器（ＣＮＶ）２１ａ，２１ｂ，２８、光増幅器２２ａ，２２ｂ，２３ａ，２３ｂ，２７ａ，２７ｂ、波長多重部４０、及び合波器２９を有する。なお、波長変換器２１ａ，２１ｂ，２７は、例えば図３に示された構成を有する。
【００４４】
図４には、図２に示されたパスＰａ，Ｐｂの中継処理のための構成が示されている。つまり、ノード＃２，＃４，＃５との間の方路に入出力される波長多重信号光Ｓ１ａ，Ｓ２ａ，Ｓ１ｂ，Ｓ２ｂの処理に関わる構成が示されている。
【００４５】
入力ポートＰ１ｉｎはノード＃２の伝送装置と接続され、入力ポートＰ２ｉｎはノード＃４の伝送装置と接続されている。入力ポートＰ１ｉｎには、ノード＃２からＬバンドの波長多重信号光Ｓ１ａとＣバンドの波長多重信号光Ｓ２ａの合波光Ｓａが入力される。入力ポートＰ２ｉｎには、ノード＃４からＬバンドの波長多重信号光Ｓ１ｂとＣバンドの波長多重信号光Ｓ２ｂの合波光Ｓｂが入力される。
【００４６】
入力ポートＰ１ｉｎ，Ｐ２ｉｎには、例えば伝送路と接続される光コネクタなどが含まれる。なお、入力ポートＰ１ｉｎは第１入力ポートの一例であり、入力ポートＰ２ｉｎは第２入力ポートの一例である。また、合波光Ｓａは第１入力信号光の一例であり、合波光Ｓｂは第２入力信号光の一例である。
【００４７】
分波器２０ａには、入力ポートＰ１ｉｎから合波光Ｓａが入力される。分波器２０ａは合波光Ｓａから波長多重信号光Ｓ１ａ，Ｓ２ａを分波する。なお、波長多重信号光Ｓ１ａは第１波長多重信号光の一例であり、波長多重信号光Ｓ２ａは第２波長多重信号光の一例である。また、Ｌバンドは第１波長帯の一例であり、Ｃバンドは第２波長帯の一例である。
【００４８】
分波器２０ｂには、入力ポートＰ２ｉｎから合波光Ｓｂが入力される。分波器２０ｂは合波光Ｓｂから波長多重信号光Ｓ１ｂ，Ｓ２ｂを分波する。なお、波長多重信号光Ｓ１ｂは第３波長多重信号光の一例であり、波長多重信号光Ｓ２ｂは第４波長多重信号光の一例である。分波器２０ａ，２０ｂとしては、例えば光フィルタや光スプリッタが挙げられる。
【００４９】
波長多重信号光Ｓ１ａは分波器２０ａから波長変換器２１ａに入力される。波長変換器２１ａは、波長多重信号光Ｓ１ａの波長帯をＬバンドからＣバンドに変換する。このため、波長多重信号光Ｓ１ａを安価なＣバンド対応の光学部品で処理することが可能となる。なお、波長変換器２１ａは第１波長変換器の一例である。
【００５０】
波長多重信号光Ｓ１ａは波長変換器２１ａから光増幅器２２ａに入力されて増幅される。また、波長多重信号光Ｓ２ａは分波器２０ａから光増幅器２３ａに入力されて増幅される。
【００５１】
波長多重信号光Ｓ１ｂは分波器２０ｂから波長変換器２１ｂに入力される。波長変換器２１ｂは、波長多重信号光Ｓ１ｂの波長帯をＬバンドからＣバンドに変換する。このため、波長多重信号光Ｓ１ｂを安価なＣバンド対応の光学部品で処理することが可能となる。なお、波長変換器２１ｂは第２波長変換器の一例である。
【００５２】
波長多重信号光Ｓ１ｂは波長変換器２１ｂから光増幅器２２ｂに入力されて増幅される。また、波長多重信号光Ｓ２ｂは分波器２０ａから光増幅器２３ｂに入力されて増幅される。
【００５３】
波長多重信号光Ｓ１ａ，Ｓ２ａ，Ｓ１ｂ，Ｓ２ｂは光増幅器２２ａ，２３ａ，２２ｂ，２３ｂから波長多重部４０にそれぞれ入力される。
【００５４】
波長多重部４０は、入力元ノードから入力された波長多重信号光に含まれる各波長光がその宛先に応じた出力先ノードから出力されるように複数の波長選択スイッチが設けられている。波長選択スイッチとしては、波長多重信号光を波長光単位で分離する波長選択スイッチ（以下、「入力側ＷＳＳ」と表記）が入力元ノードごとに設けられ、各入力元ノードからの波長光を波長多重する波長選択スイッチ（以下、「出力側ＷＳＳ」と表記）が出力先ノードごとに設けられている。
【００５５】
波長多重部４０は、入力側ＷＳＳ２４ａ，２４ｂ，２５ａ，２５ｂ及び出力側ＷＳＳ２６ａ，２６ｂを含む。入力側ＷＳＳ２４ａ，２５ａはノード＃２に対応し、入力側ＷＳＳ２４ｂ，２５ｂに対応する。出力側ＷＳＳ２６ａ，２６ｂはノード＃５に対応する。なお、波長多重部４０には、ノード＃５に対応する入力側ＷＳＳとノード＃２，＃４に対応する出力側ＷＳＳも設けられているが、説明の便宜上、図示は省略する。
【００５６】
入力側ＷＳＳ２４ａ，２４ｂ，２５ａ，２５ｂはポートａ〜ｃを有し、出力側ＷＳＳ２６ａ，２６ｂはポートｄ〜ｈを有する。ポートａには、光増幅器２２ａ，２３ａ，２２ｂ，２３ｂから波長多重信号光Ｓ１ａ，Ｓ２ａ，Ｓ１ｂ，Ｓ２ｂが入力される。入力側ＷＳＳ２４ａ，２４ｂ，２５ａ，２５ｂは、波長多重信号光Ｓ１ａ，Ｓ２ａ，Ｓ１ｂ，Ｓ２ｂから波長光を分離してポートｂ，ｃから出力する。このとき、各波長光は、ポートｂ，ｃごとに波長多重される。
【００５７】
ポートｄ〜ｇには、波長多重された波長光が入力される。出力側ＷＳＳ２６ａ，２６ｂは、各ポートｄ〜ｇから入力された波長光をいったん分離して１つの波長多重信号光Ｓ１ｃ，Ｓ２ｃに波長多重し、ポートｈから出力する。なお、波長多重信号光Ｓ１ｃは第１出力信号光の一例であり、波長多重信号光Ｓｃ２は第２出力信号光の一例である。
【００５８】
入力側ＷＳＳ２４ａ，２４ｂ，２５ａ，２５ｂは何れの出力側ＷＳＳ２６ａ，２６ｂにも接続されている。つまり、入力側ＷＳＳ２４ａ，２４ｂ，２５ａ，２５ｂと出力側ＷＳＳ２６ａ，２６ｂは、クロスコネクトの形態で相互に接続されている。
【００５９】
入力側ＷＳＳ２４ａのポートｂは出力側ＷＳＳ２６ａのポートｄに接続され、入力側ＷＳＳ２４ａのポートｃは出力側ＷＳＳ２６ｂのポートｄに接続されている。入力側ＷＳＳ２５ａのポートｂは出力側ＷＳＳ２６ａのポートｆに接続され、入力側ＷＳＳ２５ａのポートｃは出力側ＷＳＳ２６ｂのポートｆに接続されている。
【００６０】
入力側ＷＳＳ２４ｂのポートｂは出力側ＷＳＳ２６ａのポートｅに接続され、入力側ＷＳＳ２４ｂのポートｃは出力側ＷＳＳ２６ｂのポートｅに接続されている。入力側ＷＳＳ２５ｂのポートｂは出力側ＷＳＳ２６ａのポートｇに接続され、入力側ＷＳＳ２５ｂのポートｃは出力側ＷＳＳ２６ｂのポートｇに接続されている。
【００６１】
この接続形態によると、入力側ＷＳＳ２４ａは波長多重信号光Ｓ１ａに含まれる波長光を出力側波長選択スイッチ２６ａ，２６ｂの何れかに出力し、入力側ＷＳＳ２５ａは波長多重信号光Ｓ２ａに含まれる波長光を出力側波長選択スイッチ２６ａ，２６ｂの何れかに出力する。また、入力側ＷＳＳ２４ｂは波長多重信号光Ｓ１ｂに含まれる波長光を出力側波長選択スイッチ２６ａ，２６ｂの何れかに出力し、入力側ＷＳＳ２５ｂは波長多重信号光Ｓ２ａに含まれる波長光を出力側波長選択スイッチ２６ａ，２６ｂの何れかに出力する。なお、入力側ＷＳＳ２４ａは第３波長選択スイッチの一例であり、入力側ＷＳＳ２５ａは第４波長選択スイッチの一例である。また、入力側ＷＳＳ２４ｂは第５波長選択スイッチの一例であり、入力側ＷＳＳ２５ｂは第６波長選択スイッチの一例である。
【００６２】
一方、出力側ＷＳＳ２６ａは、ポートｄ〜ｇから入力された各波長光を波長多重することにより波長多重信号光Ｓ１ｃを生成し、出力側ＷＳＳ２６ｂは、ポートｄ〜ｇから入力された各波長光を波長多重することにより波長多重信号光Ｓ２ｃを生成する。なお、出力側ＷＳＳ２６ａは第２波長選択スイッチの一例であり、出力側ＷＳＳ２６ｂは第２波長選択スイッチの一例である。
【００６３】
このため、出力側ＷＳＳ２６ａ，２６ｂは、波長多重信号光Ｓ１ａ，Ｓ１ｂ，Ｓ２ａ，Ｓ２ｂに含まれる各波長光を何れの波長多重信号光Ｓ１ｃ，Ｓ２ｃにも波長多重することができる。このとき、波長多重信号光Ｓ１ａ，Ｓ１ｂの波長帯は、波長変換器２１ａ，２１ｂにより波長多重信号光Ｓ２ａ，Ｓ２ｂと同じＣバンドに変換されている。
【００６４】
このため、出力側ＷＳＳ２６ａ，２６ｂは、共通のＣバンド内で波長多重信号光Ｓ１ａ，Ｓ１ｂ，Ｓ２ａ，Ｓ２ｂの各波長光を波長多重することができる。なお、波長多重信号光Ｓ１ａ，Ｓ２ａ，Ｓ１ｂ，Ｓ２ｂの各波長光のうち、出力側ＷＳＳ２６ａに入力される波長光は第１波長光の一例であり、出力側ＷＳＳ２６ｂに入力される波長光は第２波長光の一例である。
【００６５】
また、設定処理部１は、出力側ＷＳＳ２６ａのポートｄ〜ｇに入力される波長光の波長が重複せず、かつ、出力側ＷＳＳ２６ｂのポートｄ〜ｇに入力される波長光の波長が重複しないように、入力側ＷＳＳ２４ａ，２５ａ，２４ｂ，２５ｂのポートａ〜ｃに波長を設定する。このため、波長多重信号光Ｓ１ｃに収容される各波長光の波長は重複せず、波長多重信号光Ｓ２ｃに収容される各波長光の波長は重複しない。
【００６６】
光増幅器２７ａ，２７ｂは、出力側ＷＳＳ２６ａ，２６ｂから出力された波長多重信号光Ｓ１ｃ，Ｓ２ｃをそれぞれ増幅する。波長多重信号光Ｓ１ｃは光増幅器２７ａから波長変換器２８に入力され、波長多重信号光Ｓ２ｃは光増幅器２７ｂから合波器２９に入力される。
【００６７】
波長変換器２８は、波長多重信号光Ｓ１ｃの波長帯をＣバンドからＬバンドに変換する。Ｌバンドの波長多重信号光Ｓ１ｃは合波器２９に入力される。合波器２９は、例えば光フィルタや光カプラであり、波長多重信号光Ｓ１ｃ，Ｓ２ｃを合波することにより合波光Ｓｃを生成する。合波光Ｓｃは伝送路９に出力される。なお、合波器２９は第１合波器の一例であり、波長変換器２８は第３波長変換器の一例である。
【００６８】
設定処理部１は、ネットワーク監視制御装置８からのパスＰａ，Ｐｂの情報に基づき波長多重部４０の設定処理を行う。例えば設定処理部１は、入力側ＷＳＳ２４ａ，２４ｂ，２５ａ，２５ｂにポートｂ，ｃから出力される波長光（波長）を設定する。つまり、設定処理部１は、各波長光の出力先のポートｂ，ｃを設定する。また、設定処理部１は、出力側ＷＳＳ２６ａ，２６ｂにポートｄ〜ｇから入力される波長光（波長）及びポートｈから出力される波長光（波長）を設定する。
【００６９】
上記の構成において、図２の例を挙げて、Ｃバンドの波長多重信号光Ｓ２ａにＬバンドの波長多重信号光Ｓ１ｂを波長多重する処理を説明する。
【００７０】
符号Ｒ１ｂは波長多重信号光Ｓ１ｂの経路を示す。符号Ｗ１１は、波長変換器２１ｂから出力された波長多重信号光Ｓ１ｂのスペクトルの一例を示す。波長多重信号光Ｓ１ｂは、波長変換器２１ｂにより波長帯がＬバンドからＣバンドに変換される。波長多重信号光Ｓ１ｂは入力側ＷＳＳ２４ｂのポートａに入力される。
【００７１】
入力側ＷＳＳ２４ｂは、波長多重信号光Ｓ１ｂに含まれる各波長光をポートｂまたはポートｃから出力する。設定処理部１は、波長多重信号光Ｓ１ｂの各波長光が出力側ＷＳＳ２６ｂに出力されるように、波長多重信号光Ｓ１ｂの各波長光の出力先をポートｃに設定する。
【００７２】
また、符号Ｒ１ａは波長多重信号光Ｓ２ａの経路を示す。波長多重信号光Ｓ２ａは入力側ＷＳＳ２５ａのポートａに入力される。入力側ＷＳＳ２４ｂは、波長多重信号光Ｓ２ａに含まれる各波長光をポートｂまたはポートｃから出力する。設定処理部１は、波長多重信号光Ｓ２ａが出力側ＷＳＳ２６ｂに出力されるように、波長多重信号光Ｓ２ａの各波長光の出力先をポートｃに設定する。
【００７３】
符号Ｗ１２は、入力側ＷＳＳ２５ａのポートｃから出力された波長多重信号光Ｓ２ａのスペクトルの一例を示す。波長多重信号光Ｓ２ａには、上述したように空きチャネル（点線参照）が存在する。
【００７４】
出力側ＷＳＳ２６ｂのポートｅには波長多重信号光Ｓ１ｂの各波長光が入力され、出力側ＷＳＳ２６ｂのポートｆには波長多重信号光Ｓ２ａの各波長光が入力される。設定処理部１は、波長多重信号光Ｓ２ａ，Ｓ１ｂの各波長光が波長多重されるように、波長多重信号光Ｓ２ａ，Ｓ１ｂの各波長光の出力先をポートｈに設定する。
【００７５】
このため、波長多重信号光Ｓ２ａ，Ｓ１ｂの各波長光が波長多重されて、その波長多重信号光Ｓ２ｃは出力側ＷＳＳ２６ｂのポートｈから光増幅器２７ｂに出力される。
【００７６】
このように、出力側ＷＳＳ２６ｂは、ポートｆに入力された波長多重信号光Ｓ２ａの各波長光と、ポートｅからポートｅに入力された波長多重信号光Ｓ１ｂの各波長光とを波長多重して出力する。
【００７７】
符号Ｗ１３は、出力側ＷＳＳ２６ｂのポートｈから出力された波長多重信号光Ｓ２ｃのスペクトルの一例を示す。波長多重信号光Ｓ１ｂの波長帯は波長変換器２１ｂによりＬバンドからＣバンドに変換されている。このため、波長多重信号光Ｓ２ｃには、Ｃバンドの波長多重信号光Ｓ２ａ，Ｓ１ｂの各波長光が波長多重されている。
【００７８】
このように、波長変換器２１ｂは波長多重信号光Ｓ１ｂの波長帯をＬバンドからＣバンドに変換するため、空きチャネルがあるＣバンドの波長多重信号光Ｓ２ａに波長多重信号光Ｓ１ｂを波長多重することができる。
【００７９】
一方、符号Ｒ２ａは波長多重信号光Ｓ１ａの経路を示す。Ｌバンドの波長多重信号光Ｓ１ａは波長変換器２１ａに入力されて、その波長帯がＬバンドからＣバンドに変換される。Ｃバンドの波長多重信号光Ｓ１ａは入力側ＷＳＳ２４ａのポートａに入力される。
【００８０】
入力側ＷＳＳ２４ａは、設定処理部１の設定に従い、波長多重信号光Ｓ１ａに含まれる各波長光をポートｂから出力する。波長多重信号光Ｓ１ａの各波長光は出力側ＷＳＳ２６ａのポートｄに入力される。
【００８１】
出力側ＷＳＳ２６ａは、設定処理部１の設定に従い、ポートｄから入力された各波長光を波長多重することにより波長多重信号光Ｓ１ｃを生成してポートｈから出力する。波長多重信号光Ｓ１ｃは波長変換器２８に入力される。波長変換器２８は、波長多重信号光Ｓ１ｃの波長帯をＣバンドからＬバンドに変換する。これにより、波長多重信号光Ｓ１ｃの波長帯が、伝送装置に入力された波長多重信号光Ｓ１ａと同じＬバンドとなる。
【００８２】
合波器２９は、Ｌバンドの波長多重信号光Ｓ１ｃとＣバンドの波長多重信号光Ｓ２ｃを合波することにより合波光Ｓｃを生成する。合波光Ｓｃは伝送路９に出力されてノード＃５に到達する。このため、伝送装置は、波長多重信号光Ｓ２ｂをパスＰｂに従って中継することができる。
【００８３】
次にＬバンドの波長多重信号光Ｓ１ｂをＬバンドの波長多重信号光Ｓ１ａに波長多重して中継する例を説明する。
【００８４】
図５は、Ｌバンドの波長多重信号光Ｓ１ｂとＬバンドの波長多重信号光Ｓ１ａを波長多重して中継する例を示す図である。図５において、図４と共通する構成には同一の符号を付し、その説明は省略する。
【００８５】
符号Ｗ２１は、ノード＃２から入力された合波光Ｓａのスペクトルの一例を示し、符号Ｗ２２は、ノード＃２から入力された合波光Ｓｂのスペクトルの一例を示す。本例では、図２の例とは異なり、Ｌバンドの波長多重信号光Ｓ１ａには空きチャネルがあるが、Ｃバンドの波長多重信号光Ｓ２ａには空きチャネルがないと仮定する。
【００８６】
符号Ｒ１１ａは波長多重信号光Ｓ１ａの経路を示す。波長多重信号光Ｓ１ａは波長変換器２１ａに入力される。波長変換器２１ａは、波長多重信号光Ｓ１ａの波長帯をＬバンドからＣバンドに変換する。波長多重信号光Ｓ１ａは入力側ＷＳＳ２４ａのポートａに入力される。
【００８７】
設定処理部１は、波長多重信号光Ｓ１ａの各波長光が出力側ＷＳＳ２６ａに出力されるように、入力側ＷＳＳ２４ａに対し波長多重信号光Ｓ１ａの各波長光の出力先をポートｂに設定する。これにより、波長多重信号光Ｓ１ａの各波長光は出力側ＷＳＳ２６ａのポートｄに入力される。
【００８８】
また、符号Ｒ１１ｂは波長多重信号光Ｓ１ｂの経路を示す。波長多重信号光Ｓ１ｂは波長変換器２１ｂに入力される。波長変換器２１ｂは、波長多重信号光Ｓ１ｂの波長帯をＬバンドからＣバンドに変換する。波長多重信号光Ｓ１ｂは入力側ＷＳＳ２４ｂのポートａに入力される。
【００８９】
設定処理部１は、波長多重信号光Ｓ１ｂの各波長光が出力側ＷＳＳ２６ａに出力されるように、入力側ＷＳＳ２４ｂに対し波長多重信号光Ｓ１ｂの各波長光の出力先をポートｂに設定する。これにより、波長多重信号光Ｓ２ｂの各波長光は出力側ＷＳＳ２６ａのポートｅに入力される。
【００９０】
出力側ＷＳＳ２６ａのポートｄには波長多重信号光Ｓ１ａの各波長光が入力され、出力側ＷＳＳ２６ａのポートｅには波長多重信号光Ｓ１ｂの各波長光が入力される。設定処理部１は、波長多重信号光Ｓ１ａに波長多重信号光Ｓ１ｂの各波長光が波長多重されるように、波長多重信号光Ｓ１ａ，Ｓ１ｂの各波長光の出力先をポートｈに設定する。
【００９１】
出力側ＷＳＳ２６ａは、ポートｄに入力された波長多重信号光Ｓ１ａと、ポートｅに入力された各波長光とを波長多重して出力する。これにより、波長多重信号光Ｓ１ａ，Ｓ１ｂの各波長光が波長多重されて、その波長多重信号光Ｓ１ｃは出力側ＷＳＳ２６ａのポートｈから光増幅器２７ａに出力される。
【００９２】
符号Ｗ２３は、出力側ＷＳＳ２６ａから出力された波長多重信号光Ｓ１ｃのスペクトルの一例を示す。波長多重信号光Ｓ１ｂの波長帯は波長変換器２１ｂによりＬバンドからＣバンドに変換されており、波長多重信号光Ｓ１ａの波長帯は波長変換器２１ｂによりＬバンドからＣバンドに変換されている。このため、波長多重信号光Ｓ１ｃには、Ｃバンドの波長多重信号光Ｓ１ａ，Ｓ１ｂの各波長光が波長多重されている。
【００９３】
このように、波長変換器２１ｂは波長多重信号光Ｓ１ｂの波長帯をＬバンドからＣバンドに変換し、波長変換器２１ａは波長多重信号光Ｓ１ａの波長帯をＬバンドからＣバンドに変換するため、Ｌバンドの波長多重信号光Ｓ２ａの空きチャネルにＬバンドの波長多重信号光Ｓ１ｂの各波長光を収容することができる。
【００９４】
波長変換器２８は、波長多重信号光Ｓ１ｃの波長帯をＣバンドからＬバンドに変換する。これにより、波長多重信号光Ｓ１ｃの波長帯は、伝送装置に入力された波長多重信号光Ｓ１ａと同じＬバンドとなる。
【００９５】
一方、符号Ｒ１２ａは波長多重信号光Ｓ２ａの経路を示す。Ｃバンドの波長多重信号光Ｓ２ａは入力側ＷＳＳ２５ａのポートａに入力される。入力側ＷＳＳ２５ａは、設定処理部１の設定に従い、波長多重信号光Ｓ２ａに含まれる各波長光をポートｃから出力する。波長多重信号光Ｓ２ａの各波長光は出力側ＷＳＳ２６ｂのポートｆに入力される。
【００９６】
出力側ＷＳＳ２６ｂは、設定処理部１の設定に従い、ポートｆから入力された各波長光を波長多重することにより波長多重信号光Ｓ２ｃを生成してポートｈから出力する。
【００９７】
合波器２９は、Ｌバンドの波長多重信号光Ｓ１ｃとＣバンドの波長多重信号光Ｓ２ｃを合波することにより合波光Ｓｃを生成する。合波光Ｓｃは伝送路９に出力されてノード＃５に到達する。このため、伝送装置は、波長多重信号光Ｓ１ｂをパスＰｂに従って中継することができる。
【００９８】
次にＣバンドの波長多重信号光Ｓ２ｂとＬバンドの波長多重信号光Ｓ１ａを波長多重して中継する例を説明する。
【００９９】
図６は、Ｃバンドの波長多重信号光Ｓ２ｂとＬバンドの波長多重信号光Ｓ１ａを波長多重して中継する例を示す図である。図６において、図４と共通する構成には同一の符号を付し、その説明は省略する。
【０１００】
本例において、ノード＃２から入力された合波光Ｓａは、図５の符号Ｗ２１に示されるように、Ｌバンドの波長多重信号光Ｓ１ａには空きチャネルがあるが、Ｃバンドの波長多重信号光Ｓ２ａには空きチャネルがないと仮定する。
【０１０１】
また、符号Ｗ３２は、ノード＃４から入力された合波光Ｓｂのスペクトルの一例を示す。本例の合波光Ｓｂには、図２の例とは異なり、Ｃバンドの波長多重信号光Ｓ２ｂだけが含まれており、Ｌバンドの波長多重信号光Ｓ１ｂが含まれていない。
【０１０２】
符号Ｒ２１ａは波長多重信号光Ｓ１ａの経路を示す。波長多重信号光Ｓ１ａは波長変換器２１ａに入力される。符号Ｗ３１は、波長変換器２１ａから出力された波長多重信号光Ｓ１ａのスペクトルの一例を示す。波長変換器２１ａは、波長多重信号光Ｓ１ａの波長帯をＬバンドからＣバンドに変換する。波長多重信号光Ｓ１ａは入力側ＷＳＳ２４ａのポートａに入力される。
【０１０３】
設定処理部１は、波長多重信号光Ｓ１ａの各波長光が出力側ＷＳＳ２６ａに出力されるように、入力側ＷＳＳ２４ａに対し波長多重信号光Ｓ１ａの各波長光の出力先をポートｂに設定する。これにより、波長多重信号光Ｓ１ａの各波長光は出力側ＷＳＳ２６ａのポートｄに入力される。
【０１０４】
符号Ｒ２１ｂは波長多重信号光Ｓ２ｂの経路を示す。Ｃバンドの波長多重信号光Ｓ２ｂは入力側ＷＳＳ２５ｂのポートａに入力される。入力側ＷＳＳ２５ｂは、設定処理部１の設定に従い、波長多重信号光Ｓ２ｂに含まれる各波長光をポートｂから出力する。波長多重信号光Ｓ２ｂの各波長光は出力側ＷＳＳ２６ａのポートｇに入力される。
【０１０５】
出力側ＷＳＳ２６ａのポートｄには波長多重信号光Ｓ１ａの各波長光が入力され、出力側ＷＳＳ２６ａのポートｇには波長多重信号光Ｓ２ｂの各波長光が入力される。設定処理部１は、波長多重信号光Ｓ１ａ，Ｓ２ｂの各波長光が波長多重されるように、波長多重信号光Ｓ１ａ，Ｓ２ｂの各波長光の出力先をポートｈに設定する。
【０１０６】
このため、波長多重信号光Ｓ１ａ，Ｓ２ｂの各波長光が波長多重されて、その波長多重信号光Ｓ１ｃは出力側ＷＳＳ２６ａのポートｈから光増幅器２７ａに出力される。
【０１０７】
符号Ｗ３３は、出力側ＷＳＳ２６ａから出力された波長多重信号光Ｓ１ｃのスペクトルの一例を示す。波長多重信号光Ｓ１ａの波長帯は波長変換器２１ａによりＬバンドからＣバンドに変換されている。このため、波長多重信号光Ｓ１ｃには、Ｃバンドの波長多重信号光Ｓ１ａ，Ｓ２ｂの各波長光が波長多重されている。
【０１０８】
このように、波長変換器２１ａは波長多重信号光Ｓ１ａの波長帯をＬバンドからＣバンドに変換するため、Ｌバンドの波長多重信号光Ｓ２ａの空きチャネルにＣバンドの波長多重信号光Ｓ２ｂの各波長光を収容することができる。
【０１０９】
波長変換器２８は、波長多重信号光Ｓ１ｃの波長帯をＣバンドからＬバンドに変換する。符号Ｗ３４は、波長変換器２８から出力された波長多重信号光Ｓ１ｃのスペクトルの一例を示す。波長多重信号光Ｓ１ｃの波長帯は、伝送装置に入力された波長多重信号光Ｓ１ａと同じＬバンドとなる。
【０１１０】
一方、符号Ｒ２２ａは波長多重信号光Ｓ２ａの経路を示す。波長多重信号光Ｓ２ａの経路は、上記の符号１２ａで示された経路と同様である。
【０１１１】
合波器２９は、Ｌバンドの波長多重信号光Ｓ１ｃとＣバンドの波長多重信号光Ｓ２ｃを合波することにより合波光Ｓｃを生成する。合波光Ｓｃは伝送路９に出力されてノード＃５に到達する。このため、伝送装置は、波長多重信号光Ｓ２ｂをパスＰｂに従って中継することができる。
【０１１２】
また、本例とは異なり、Ｃバンドの波長多重信号光Ｓ２ａに空きチャネルがある場合、波長多重信号光Ｓ２ａ，Ｓ２ｂの各波長光を波長多重することも可能である。この場合、波長多重信号光Ｓ２ａの経路は、符号Ｒ２２ａに示されるとおりである。一方、波長多重信号光Ｓ２ｂは、入力側ＷＳＳ２５ｂのポートｃから出力側ＷＳＳ２６ｂのポートｇに入力される。
【０１１３】
出力側ＷＳＳ２６ｂは、設定処理部１の設定に従い、ポートｆから入力された波長多重信号光Ｓ２ａ、及びポートｇから入力された波長多重信号光Ｓ２ｂを波長多重してポートｈから出力する。これにより、伝送装置は、波長多重信号光Ｓ２ｂをパスＰｂに従って中継することができる。
【０１１４】
このように、波長多重部４０は、波長多重信号光Ｓ１ａ，Ｓ２ａ，Ｓ１ｂ，Ｓ２ｂに含まれる複数の波長光のうち、波長が重複せずにＬバンドに収容される各波長光を波長多重することにより波長多重信号光Ｓ１ｃを生成し、波長が重複せずにＣバンドに収容される各波長光を波長多重することにより波長多重信号光Ｓ２ｃを生成する。このため、伝送装置は、Ｌバンドの波長多重信号光Ｓ１ａ，Ｓ１ｂの波長が重複する場合、またはＣバンドの波長多重信号光Ｓ２ａ，Ｓ２ｂの波長が重複する場合でも、各波長多重信号光Ｓ１ａ，Ｓ２ａ，Ｓ１ｂ，Ｓ２ｂを空きチャネルに応じて中継することができる。
【０１１５】
したがって、波長多重信号光Ｓ１ａ，Ｓ２ａ，Ｓ１ｂ，Ｓ２ｂのパスＰｂの制約を緩和することができる。なお、波長多重部４０は生成部の一例である。
【０１１６】
また、入力側ＷＳＳ２４ａ，２５ａ，２４ｂ，２５ｂは、波長多重信号光Ｓ１ａ，Ｓ２ａ，Ｓ１ｂ，Ｓ２ｂの波長光を出力側ＷＳＳ２６ａ，２６ｂの一方に出力する。このため、入力側ＷＳＳ２４ａ，２５ａ，２４ｂ，２５ｂからの波長光の出力先を切り替えることにより、波長多重信号光Ｓ１ａ，Ｓ２ａ，Ｓ１ｂ，Ｓ２ｂの各波長光を波長多重信号光Ｓ１ｃ，Ｓ２ｃの何れかに波長多重することができる。
【０１１７】
（ノード＃５の伝送装置）
次にノード＃５の伝送装置を説明する。
【０１１８】
図７は、ノード＃５の伝送装置の一例を示す構成図である。ノード＃５の伝送装置は、第２伝送装置の一例であり、入力ポートＰ３ｉｎ、出力ポートＰ１ｏｕｔ，Ｐ２ｏｕｔ、設定処理部４、分波器３０、波長変換器（ＣＮＶ）３１，３６ａ，３６ｂ、光増幅器３２ａ，３２ｂ，３７ａ，３７ｂ，３８ａ，３８ｂ、波長多重部４１、及び合波器３９ａ，３９ｂを有する。なお、波長変換器３１，３６ａ，３６ｂは、例えば図３に示された構成を有する。
【０１１９】
図７には、図２に示されたパスＰａ，Ｐｂの中継処理のための構成が示されている。つまり、ノード＃１，＃６，＃８との間の方路に入出力される波長多重信号光Ｓ１ａ，Ｓ２ａ，Ｓ１ｂ，Ｓ２ｂの処理に関わる構成が示されている。
【０１２０】
入力ポートＰ３ｉｎには、ノード＃１から合波光Ｓｃが入力される。入力ポートＰ３ｉｎには、例えば伝送路に接続される光コネクタなどが含まれる。合波光Ｓｃは入力ポートＰ３ｉｎから分波器３０に入力される。分波器３０は、合波光Ｓｃから波長多重信号光Ｓ１ｃ，Ｓ２ｃを分波する。分波器３０としては、例えば光フィルタや光スプリッタが挙げられる。
【０１２１】
波長多重信号光Ｓ１ｃは分波器３０から波長変換器３１に入力される。波長変換器３１は、波長多重信号光Ｓ１ｃの波長帯をＬバンドからＣバンドに変換する。このため、波長多重信号光Ｓ１ｃを安価なＣバンド対応の光学部品で処理することが可能となる。なお、波長変換器３１は第４波長変換器の一例である。
【０１２２】
波長多重信号光Ｓ１ｃは波長変換器３１から光増幅器３２ａに入力されて増幅される。また、波長多重信号光Ｓ２ｃは分波器３０から光増幅器３２ｂに入力されて増幅される。波長多重信号光Ｓ１ｃ，Ｓ２ｃは光増幅器３２ａ，３２ｂから波長多重部４１にそれぞれ入力される。
【０１２３】
波長多重部４１は、入力側ＷＳＳ３３ａ，３３ｂ及び出力側ＷＳＳ３４ａ，３４ｂ，３５ａ，３５ｂを含む。入力側ＷＳＳ３３ａ，３３ｂはポートａ〜ｅを有し、出力側ＷＳＳ３４ａ，３４ｂ，３５ａ，３５ｂはポートｆ〜ｈを有する。
【０１２４】
ポートａには、光増幅器３２ａ，３２ｂから波長多重信号光Ｓ１ｃ，Ｓ２ｃが入力される。入力側ＷＳＳ３３ａ，３３ｂは、波長多重信号光Ｓ１ｃ，Ｓ２ｃから波長光を分離してポートｂ〜ｅから出力する。このとき、各波長光は、ポートｂ，ｃごとに波長多重される。
【０１２５】
ポートｆ，ｇには、波長多重された波長光が入力される。出力側ＷＳＳ３４ａ，３４ｂ，３５ａ，３５ｂは、各ポートｆ，ｇから入力された波長光をいったん分離して１つの波長多重信号光Ｓ１ａ，Ｓ２ａ，Ｓ１ｂ，Ｓ２ｂに波長多重し、ポートｈから出力する。
【０１２６】
入力側ＷＳＳ３３ａ，３３ｂは何れの出力側ＷＳＳ３４ａ，３４ｂ，３５ａ，３５ｂにも接続されている。つまり、入力側ＷＳＳ３３ａ，３３ｂと出力側ＷＳＳ３４ａ，３４ｂ，３５ａ，３５ｂは、クロスコネクトの形態で相互に接続されている。
【０１２７】
入力側ＷＳＳ３３ａのポートｂは出力側ＷＳＳ３４ａのポートｆに接続され、入力側ＷＳＳ３３ａのポートｃは出力側ＷＳＳ３５ａのポートｆに接続されている。入力側ＷＳＳ３３ａのポートｄは出力側ＷＳＳ３４ｂのポートｆに接続され、入力側ＷＳＳ３３ａのポートｅは出力側ＷＳＳ３５ｂのポートｆに接続されている。
【０１２８】
入力側ＷＳＳ３３ｂのポートｂは出力側ＷＳＳ３４ａのポートｇに接続され、入力側ＷＳＳ３３ｂのポートｃは出力側ＷＳＳ３５ａのポートｇに接続されている。入力側ＷＳＳ３３ｂのポートｄは出力側ＷＳＳ３４ｂのポートｇに接続され、入力側ＷＳＳ３３ｂのポートｅは出力側ＷＳＳ３５ｂのポートｇに接続されている。
【０１２９】
この接続形態によると、波長多重信号光Ｓ１ｃ，Ｓ２ｃに含まれる各波長光は何れの出力側ＷＳＳ３４ａ，３５ａ，３４ｂ，３５ｂにも出力可能である。このため、波長多重部４１は、Ｌバンドの波長多重信号光Ｓ１ｃから波長多重信号光Ｓ１ａ，Ｓ１ｂ，Ｓ２ａ，Ｓ２ｂを分波することができる。また、波長多重部４１は、Ｃバンドの波長多重信号光Ｓ２ｃから波長多重信号光Ｓ１ａ，Ｓ１ｂ，Ｓ２ａ，Ｓ２ｂを分波することができる。なお、以下の説明では、図２の例の場合の入力側ＷＳＳ３３ａ，３３ｂと出力側ＷＳＳ３４ａ，３４ｂ，３５ａ，３５ｂの動作を挙げる。
【０１３０】
設定処理部４は、例えばＣＰＵ（Central Processing Unit）などを含む回路であり、例えばネットワーク監視制御装置８から取得した情報に従って、入力側ＷＳＳ３３ａ，３３ｂ及び出力側ＷＳＳ３４ａ，３４ｂ，３５ａ，３５ｂの設定処理を行う。設定処理部４は、入力側ＷＳＳ３３ａ，３３ｂに、ポートａから入力された波長多重信号光Ｓ１ｃ，Ｓ２ｃに含まれる各波長光の出力先のポートｂ〜ｅを設定する。また、設定処理部４は、出力側ＷＳＳ３４ａ，３４ｂ，３５ａ，３５ｂに、ポートｆ，ｇから入力された各波長光のうち、ポートｈから出力される波長光（波長）を設定する。
【０１３１】
入力側ＷＳＳ３３ａは、波長多重信号光Ｓ１ｃの各波長光のうち、波長多重信号光Ｓ１ａに含まれる各波長光をポートｂから出力側ＷＳＳ３４ａのポートｆに出力する。また、入力側ＷＳＳ３３ａは、波長多重信号光Ｓ１ｃの各波長光のうち、波長多重信号光Ｓ１ｂに含まれる各波長光をポートｄから出力側ＷＳＳ３４ｂのポートｆに出力し、波長多重信号光Ｓ２ｂに含まれる各波長光をポートｅから出力側ＷＳＳ３５ｂのポートｆに出力する。
【０１３２】
入力側ＷＳＳ３３ｂは、波長多重信号光Ｓ２ｃの各波長光のうち、波長多重信号光Ｓ２ａに含まれる各波長光をポートｃから出力側ＷＳＳ３５ａのポートｇに出力する。また、入力側ＷＳＳ３３ｂは、波長多重信号光Ｓ２ｃの各波長光のうち、波長多重信号光Ｓ１ｂに含まれる各波長光をポートｄから出力側ＷＳＳ３４ｂのポートｇに出力し、波長多重信号光Ｓ２ｂに含まれる各波長光をポートｅから出力側ＷＳＳ３５ｂのポートｇに出力する。
【０１３３】
出力側ＷＳＳ３４ａは、入力側ＷＳＳ３３ａ，３３ｂから入力された各波長光を波長多重することにより波長多重信号光Ｓ１ａを生成し、出力側ＷＳＳ３５ａは、入力側ＷＳＳ３３ａ，３３ｂから入力された各波長光を波長多重することにより波長多重信号光Ｓ２ａを生成する。また、出力側ＷＳＳ３４ｂは、入力側ＷＳＳ３３ａ，３３ｂから入力された各波長光を波長多重することにより波長多重信号光Ｓ１ｂを生成し、出力側ＷＳＳ３５ｂは、入力側ＷＳＳ３３ａ，３３ｂから入力された各波長光を波長多重することにより波長多重信号光Ｓ２ｂを生成する。
【０１３４】
このように、波長多重部４１は、波長多重信号光Ｓ１ｃ，Ｓ２ｃに含まれる各波長光から波長多重信号光Ｓ１ａ，Ｓ２ａ，Ｓ１ｂ，Ｓ２ｂを再生する。なお、波長多重部４１は再生部の一例である。
【０１３５】
出力側ＷＳＳ３４ａ，３４ｂ，３５ａ，３５ｂから出力された波長多重信号光Ｓ１ａ，Ｓ２ａ，Ｓ１ｂ，Ｓ２ｂは、光増幅器３７ａ，３８ａ，３７ｂ，３８ｂにそれぞれ入力されて増幅される。波長多重信号光Ｓ１ａは光増幅器３７ａから波長変換器３６ａに入力され、波長多重信号光Ｓ１ｂは光増幅器３７ｂから波長変換器３６ｂに入力される。
【０１３６】
波長変換器３６ａは、波長多重信号光Ｓ１ａの波長帯をＣバンドからＬバンドに変換する。また、波長変換器３６ｂは、波長多重信号光Ｓ１ｂの波長帯をＣバンドからＬバンドに変換する。なお、波長変換器３６ａは第５波長変換器の一例であり、波長変換器３６ｂは第６波長変換器の一例である。
【０１３７】
波長多重信号光Ｓ２ａは、光増幅器３８ａから合波器３９ａに入力される。また、波長多重信号光Ｓ２ｂは、光増幅器３８ｂから合波器３９ｂに入力される。
【０１３８】
合波器３９ａは、Ｌバンドの波長多重信号光Ｓ１ａとＣバンドの波長多重信号光Ｓ２ａを合波することにより合波光Ｓａを生成する。合波光ＳａはパスＰａに従ってノード＃６に送信される。なお、合波器３９ａは第１受信側合波器の一例である。
【０１３９】
合波器３９ｂは、Ｌバンドの波長多重信号光Ｓ１ｂとＣバンドの波長多重信号光Ｓ２ｂを合波することにより合波光Ｓｂを生成する。合波光ＳｂはパスＰｂに従ってノード＃８に送信される。なお、合波器３９ｂは第２受信側合波器の一例である。
【０１４０】
このため、ノード＃５の伝送装置は、波長多重信号光Ｓ１ａ，Ｓ２ａをパスＰａに従って中継し、波長多重信号光Ｓ１ｂ，Ｓ２ｂをパスＰｂに従って中継することができる。
【０１４１】
（ネットワーク監視制御装置８の動作）
上述した伝送装置の設定処理部１，４は、ネットワーク監視制御装置８からの指示に従って波長多重部４０，４１内の各ＷＳＳに波長設定を行う。なお、設定処理部１は設定部の一例である。
【０１４２】
図８は、ネットワーク監視制御装置８の一例を示す構成図である。ネットワーク監視制御装置８は、ＣＰＵ８０、ＲＯＭ（Read Only Memory）８１、ＲＡＭ（Random Access Memory）８２、ＨＤＤ（Hard Disk Drive）８３、ユーザインターフェース部（ユーザＩＦ）８５、及び通信ポート１４を有する。ＣＰＵ８０は、互いに信号の入出力ができるように、ＲＯＭ８１、ＲＡＭ８２、ＨＤＤ８３、ユーザＩＦ８５、及び通信ポート８４と、バス８９を介して接続されている。
【０１４３】
ＲＯＭ８１は、ＣＰＵ８０を駆動するプログラムが格納されている。ＲＡＭ８２は、ＣＰＵ８０のワーキングメモリとして機能する。ユーザＩＦ８５は、ネットワーク管理者からの操作を受け付けるためのキーボードや通信手段などである。通信ポート８４は、例えばＬＡＮ（Local Area Network）ポートであり、各伝送装置の設定処理部１，４とＣＰＵ８０の通信を中継する。
【０１４４】
ＣＰＵ８０は、ＲＯＭ８１からプログラムを読み込むと、機能として、パス検索部８００、チャネル（ＣＨ）割当部８０１、チャネル（ＣＨ）設定通知部８０２が形成される。また、ＨＤＤ８３には、予めネットワーク構成データベース（ＤＢ）８３０、チャネル設定データベース（ＣＨ設定ＤＢ）８３１、及び波長変換情報８３２が格納されている。
【０１４５】
パス検索部８００は、ユーザＩＦ８５がユーザから受け付けたパス設定の要求に応じたパスをネットワーク構成ＤＢ８３０から検索する。ネットワーク構成ＤＢ８３０には、図２に示されるようなネットワークＮＷ＃１，＃２内のノード＃１〜＃８の接続構成に関する情報が登録されている。パス検索部８００は、要求されたパスが経由するノード＃１〜＃８を選択する。
【０１４６】
ＣＨ割当部８０１は、パス検索部８００からのパス設定の通知に応じて、ＣＨ設定ＤＢ８３１から新たなパスを設定するための空きチャネルを検索する。ＣＨ設定ＤＢ８３１には、ノード＃１〜＃８及びポート（例えば入力ポートＰ１ｉｎ〜Ｐ３ｉｎ及び出力ポートＰ１ｏｕｔ〜Ｐ３ｏｕｔ）ごとの波長多重信号光内の波長光の波長帯、チャネル（ＣＨ）、及び状態と、波長光の送信元の送信器Ｔｘごとの波長帯及びチャネルが登録されている。
【０１４７】
波長帯の情報には、ＬバンドまたはＣバンドが登録される。チャネルの情報には、波長光の波長に対応するチャネル番号が登録される。状態の情報には、チャネルに波長光が割り当て済み（１）か未割り当て（０）か、つまりチャネルが使用中か未使用であるかを示す数値が登録される。ノード＃１のＣＨ設定ＤＢ８３１には、波長多重信号光Ｓ１ａ，Ｓ１ｂ，Ｓ２ａ，Ｓ２ｂ，Ｓ１ｃ，Ｓ２ｃに含まれる各波長光の波長が登録される。なお、ＨＤＤ８３は記憶部の一例であるが、記憶部としてはＨＤＤ８３に代えてメモリが用いられてもよい。
【０１４８】
ＣＨ割当部８０１は、ＣＨ設定ＤＢ８３１に基づいて、パス設定対象の波長多重信号光の各波長光に割り当て可能なチャネルを検出する。ＣＨ割当部８０１は、新規の波長多重信号光の各波長光の波長と、パス設定済みの他の波長多重信号光の各波長光の波長の重複を波長帯ごとに検出する。ノード＃１のパス設定の場合、ＣＨ割当部８０１は、Ｌバンドの波長多重信号光Ｓ１ａ，Ｓ１ｂ同士の波長の重複、及びＣバンドの波長多重信号光Ｓ２ａ，Ｓ２ｂ同士の波長の重複を検出する。
【０１４９】
ＣＨ割当部８０１は、波長の重複の検出結果に基づき、伝送装置から出力されるＬバンドの波長多重信号光Ｓ１ｃ及びＣバンドの波長多重信号光Ｓ２ｃに含まれる各波長光にチャネルを割り当てる。ノード＃１のパス設定の場合、ＣＨ割当部８０１は、ＣＨ割当部８０１の検出結果に応基づき、出力側ＷＳＳ２６ａ，２６ｂに入力される各波長光の波長を決定する。なお、ＣＨ割当部８０１は決定処理部の一例である。
【０１５０】
ＣＨ設定通知部８０２は、通知部の一例であり、ＣＨ割当部８０１によるチャネル割り当て結果を反映したＣＨ設定ＤＢ８３１のＣＨ設定情報を各ノードの伝送装置に通知する。各伝送装置は、設定処理部１，４がＣＨ設定情報に基づきＷＳＳのポートに波長を設定する。
【０１５１】
ＣＨ割当部８０１は、例えばＬバンドの波長多重信号光Ｓ１ａ，Ｓ１ｂをＣバンドに変換した場合に割り当て可能なチャネルも検出する。このとき、ＣＨ割当部８０１は、波長変換情報８３２が示す変換方式に従って、変換後の波長を算出する。波長変換情報８３２は、縮退四光波混合による波長変換方式と非縮退四光波混合による波長変換方式の何れかを示す。
【０１５２】
図９は、縮退四光波混合による波長変換方式Ｇａと非縮退四光波混合による波長変換方式Ｇｂの例を示すスペクトル図である。
【０１５３】
縮退四光波混合による波長変換方式Ｇａの場合、波長は、励起光の中心波長λｃを挟んで対称な位置に変換される。例えばＣバンド内の波長λｃ−ΔλはＬバンド内の波長λｃ＋Δλに変換される。このため、Ｌバンドの各チャネルＣＨ＃１〜＃ｎ（ｎ：正の整数）とＣバンドの各チャネルは励起光の中心波長λｃを挟んで対称な位置に配置されている。
【０１５４】
非縮退四光波混合による波長変換方式Ｇｂの場合、波長は、一方の励起光の中心波長λｃに対する差分だけ、他方の励起光の中心波長λｃ’から離れた位置に変換される。例えばＣバンド内の波長λｃ−ΔλはＬバンド内の波長λｃ’−Δλに変換される。このため、Ｌバンドの各チャネルＣＨ＃１〜＃ｎは励起光の中心波長λｃを中心として配置され、Ｃバンドの各チャネルは励起光の中心波長λｃ’を中心として配置されている。
【０１５５】
図１０は、チャネルの割り当て処理の一例を示すフローチャートである。パス検索部８００は、ユーザＩＦ８５からパス設定の要求を受け付ける（ステップＳｔ１）。パス設定の要求には、ユーザが指定したパスの始点ノード及び終点ノード、及びパスに伝送する波長光の数などが含まれる。
【０１５６】
次にパス検索部８００は、例えばダイクストラ法などによりネットワーク構成ＤＢ８３０に基づいて始点ノードと終点ノードを無図部パスを検索する（ステップＳｔ２）。図２の例の場合、パス検索部８００は、パスＰｂを経由するノード＃４，＃１，＃５，＃８を検索する。
【０１５７】
次にＣＨ割当部８０１は、パスのノードの１つを選択する（ステップＳｔ３）。次にＣＨ割当部８０１は、選択中のノードのＣＨ設定ＤＢ８３１を参照する（ステップＳｔ４）。次にＣＨ割当部８０１は、ＣＨ設定ＤＢ８３１に基づき、同一の波長帯の波長多重信号光同士のチャネルを比較することにより、パス設定対象の各波長光を収容する空きチャネル（ＣＨ）を検索する（ステップＳｔ５）。
【０１５８】
次にＣＨ割当部８０１は検索結果から空きチャネルの有無を判定する（ステップＳｔ６）。ＣＨ割当部８０１は、空きチャネルが無い場合（ステップＳｔ６のＮｏ）、波長変換情報８３２に従ってパス設定対象の波長多重信号光の一方の波長帯を他の波長帯に変換する（ステップＳｔ１１）。これにより、Ｃバンド及びＬバンドの一方のチャネルが、図９に示されるようにＣバンド及びＬバンドの他方のチャネルに変換される。
【０１５９】
次にＣＨ割当部８０１は、ＣＨ設定ＤＢ８３１に基づき、変換後の波長帯の波長多重信号光のチャネルと、同一波長帯の他の波長多重信号光のチャネルを比較することにより、変換後の波長帯の各波長光を収容する空きチャネルを検索する（ステップＳｔ１２）。次にＣＨ割当部８０１は検索結果から空きチャネルの有無を判定する（ステップＳｔ１３）。空きチャネルが無い場合（ステップＳｔ１３のＮｏ）、選択中のノードへのパス設定が不可能であるため、パス検索部８００は他のパスを検索する（ステップＳｔ２）。その後、ステップＳｔ３以降の各処理が行われる。
【０１６０】
ＣＨ割当部８０１は、空きチャネルが有る場合（ステップＳｔ６のＹｅｓ、ステップＳｔ１３のＹｅｓ）、パス設定対象の各波長光にチャネルを割り当てる（ステップＳｔ７）。これにより、ノード＃１の伝送装置において、入力された波長多重信号光Ｓ１ａ，Ｓ１ｂ，Ｓ２ａ，Ｓ２ｂの各波長光のうち、出力する波長多重信号光Ｓ１ｃ，Ｓ２ｃに波長多重する波長光が確定するため、出力側ＷＳＳ２６ａ，２６ｂに入力される各波長光の波長が決定される。
【０１６１】
次にＣＨ割当部８０１は、パス上のノードのうち、未選択のノードの有無を判定する（ステップＳｔ８）。未選択のノードが有る場合（ステップＳｔ８のＮｏ）、他のノードが選択され（ステップＳｔ３）、ステップＳｔ４以降の処理が再び行われる。
【０１６２】
ＣＨ割当部８０１は、未選択のノードが無い場合（ステップＳｔ８のＹｅｓ）、チャネルの割り当て結果に従ってＣＨ設定ＤＢ８３１を更新する（ステップＳｔ９）。次にＣＨ設定通知部８０２は、ＣＨ割当部８０１の指示に従って、通信ポート８４を介しＣＨ設定ＤＢ８３１の情報をパス上の各ノードの伝送装置に通知する（ステップＳｔ１０）。このようにしてチャネルの割り当て処理は行われる。
【０１６３】
次に図２の例を挙げてチャネルの割り当て処理を説明する。
【０１６４】
図１１は、入力ポートＰ１ｉｎのＣＨ設定ＤＢ８３１の例を示す図である。なお、Ｌバンド及びＣバンドにはそれぞれ最大で８８個のチャネルが収容されると仮定する。入力ポートＰ１ｉｎのＣＨ設定ＤＢ８３１にはＬバンド及びＣバンドの波長多重信号光Ｓ１ａ，Ｓ２ａに割り当てられたチャネル（ＣＨ）が登録されている。
【０１６５】
Ｃバンドの波長多重信号光Ｓ２ａは、ＣＨ＃１〜８４が割り当て済み（状態＝「１」）であるが、ＣＨ＃８５〜＃８８は未割り当て（状態＝「０」）である。また、Ｌバンドの波長多重信号光Ｓ１ａは、全てのＣＨ＃１〜＃８８が割り当て済みである。
【０１６６】
図１２は、入力ポートＰ２ｉｎのＣＨ設定ＤＢ８３１の例を示す図である。入力ポートＰ２ｉｎのＣＨ設定ＤＢ８３１にはＬバンド及びＣバンドの波長多重信号光Ｓ１ｂ，Ｓ２ｂに割り当てられたチャネル（ＣＨ）が登録されている。Ｌバンド及びＣバンドの波長多重信号光Ｓ１ｂ，Ｓ２ｂはともに全てのＣＨ＃１〜＃８８が割り当て済みである。
【０１６７】
ＣＨ割当部８０１は、入力ポートＰ１ｉｎ，Ｐ２ｉｎの各ＣＨ設定ＤＢ８３１を比較することにより、波長多重信号光Ｓ１ａ，Ｓ１ｂのＣＨ＃８５〜８８の重複（点線枠を参照）を検出する。このため、ＣＨ割当部８０１は、波長多重信号光Ｓ１ｂのＣＨ＃８５〜８８をＣバンドのＣＨ＃８５〜８８に変換する。なお、ＣＨ割当部８０１は、非縮退四光波混合による波長変換方式に従ってチャネルを変換すると仮定する。
【０１６８】
入力ポートＰ１ｉｎのＣＨ設定ＤＢ８３１において、ＣバンドのＣＨ＃８５〜８８は未割り当てであるため、ＣＨ割当部８０１は、波長多重信号光Ｓ１ｂを収容することができる空きチャネルが有ると判定する。ＣＨ割当部８０１は、判定結果に従って出力ポートＰ１ｏｕｔのＣＨ設定ＤＢ８３１を更新する。
【０１６９】
図１３は、出力ポートＰ１ｏｕｔのＣＨ設定ＤＢ８３１の例である。出力ポートＰ１ｏｕｔのＣＨ設定ＤＢ８３１には、Ｌバンド及びＣバンドの波長多重信号光Ｓ１ｃ，Ｓ２ｃに割り当てられたチャネル（ＣＨ）が登録されている。
【０１７０】
Ｃバンドの波長多重信号光Ｓ２ｃのＣＨ＃８５〜８８は、波長多重信号光Ｓ１ｂの各波長光に割り当て済みである（点線枠を参照）。このＣＨ設定情報は、ＣＨ設定通知部８０２からノード＃１の伝送装置の設定処理部１に通知される。これにより、波長多重信号光Ｓ２ｃは、波長が重複することなく、波長多重信号光Ｓ１ｂ，Ｓ２ａの各波長光を収容することができる。
【０１７１】
（ノード＃１の設定処理）
次にノード＃１の伝送装置の設定処理部１について述べる。
【０１７２】
図１４は、設定処理部１の一例を示す構成図である。設定処理部１は、ＣＰＵ１０、ＲＯＭ１１、ＲＡＭ１２、ストレージメモリ１３、ハードウェアインターフェース部（ＨＷ−ＩＦ）１５、及び通信ポート１４を有する。ＣＰＵ１０は、互いに信号の入出力ができるように、ＲＯＭ１１、ＲＡＭ１２、ストレージメモリ１３、ＨＷ−ＩＦ１５、及び通信ポート１４と、バス１９を介して接続されている。
【０１７３】
ＲＯＭ１１は、ＣＰＵ１０を駆動するプログラムが格納されている。ＲＡＭ１２は、ＣＰＵ１０のワーキングメモリとして機能する。通信ポート１４は、例えばＬＡＮ（Local Area Network）ポートであり、ネットワーク監視制御装置８とＣＰＵ１０の通信を中継する。ＨＷ−ＩＦ１５は、例えばＦＰＧＡ（Field Programmable Gate Array）などの回路であり、ＣＰＵ１０と入力側ＷＳＳ３３ａ，３３ｂ及び出力側ＷＳＳ３４ａ，３４ｂ，３５ａ，３５ｂの間で信号を中継する。
【０１７４】
ＣＰＵ１０は、ＲＯＭ１１からプログラムを読み込むと、機能として、チャネル（ＣＨ）設定取得部１００及びスイッチ設定部１０１が形成される。また、ストレージメモリ１３には、チャネル（ＣＨ）設定情報１３０が格納されている。
【０１７５】
ＣＨ設定取得部１００は、通信ポート１４を介してネットワーク監視制御装置８からＣＨ設定情報１３０の通知を取得する。ＣＨ設定取得部１００は、ＣＨ設定情報１３０をストレージメモリ１３に保持する。
【０１７６】
ＣＨ設定取得部１００は、ＣＨ設定情報１３０の取得が完了すると、その旨をスイッチ設定部１０１に通知する。スイッチ設定部１０１は、ＣＨ設定取得部１００に基づいて入力側ＷＳＳ２４ａ，２４ｂ，２５ａ，２５ｂ及び出力側ＷＳＳ２６ａ，２６ｂを設定する。
【０１７７】
図１５は、設定処理部１の処理の一例を示すフローチャートである。ＣＨ設定取得部１００は、ネットワーク監視制御装置８からＣＨ設定情報１３０を取得する（ステップＳｔ２１）。
【０１７８】
次にスイッチ設定部１０１は、ＣＨ設定情報１３０に基づき、入力側ＷＳＳ２４ａ，２４ｂ，２５ａ，２５ｂを設定し（ステップＳｔ２２）、次に出力側ＷＳＳ２６ａ，２６ｂを設定する（ステップＳｔ２３）。例えばスイッチ設定部１０１は、入力ポートＰ１ｉｎのＣＨ設定情報１３０に従い入力側ＷＳＳ２４ａ，２５ａのポートａに波長を設定し、入力ポートＰ２ｉｎのＣＨ設定情報１３０に従い入力側ＷＳＳ２４ｂ，２５ｂのポートａに波長を設定する。また、スイッチ設定部１０１は、出力ポートＰｏｕｔのＣＨ設定情報１３０に従い入力側ＷＳＳ２４ａ，２４ｂ，２５ａ，２５ｂのポートｂ，ｃ及び出力側ＷＳＳ２６ａ，２６ｂのポートｄ〜ｇに波長を設定する。
【０１７９】
次にスイッチ設定部１０１は、始点ノードまたは終点ノードである場合、送信器Ｔｘまたは受信器Ｒｘに波長を設定する（ステップＳｔ２４）。このようにして、設定処理部１は処理を行う。
【０１８０】
このように、設定処理部１は、ネットワーク監視制御装置８からの通知に従って出力側ＷＳＳ２６ａ，２６ｂに入力される各波長光の波長を設定する。このため、波長多重信号光Ｓ１ｃ，Ｓ２ｃには、波長が重複することなく波長光が収容される。
【０１８１】
（波長帯の変換による他の効果）
上述したように、ノード＃１の伝送装置は、波長変換器２１ａ，２１ｂ，２８により波長多重信号光Ｓ１ｂ，Ｓ２ｂの波長帯を入力時の波長帯とは異なる波長帯に変換してノード＃５に送信することができる。また、ノード＃５の伝送装置は、波長変換器３１，３６ｂにより波長多重信号光Ｓ１ｂ，Ｓ２ｂの波長帯を元の波長帯に戻すことができる。
【０１８２】
このため、ノード＃１の伝送装置は、波長多重信号光Ｓ１ｂ，Ｓ２ｂの波長帯を、ノード＃５との間の伝送路９の光ファイバの種類に適した波長帯に変換して送信してもよい。
【０１８３】
図１６は、波長多重信号光Ｓ２ｂを光ファイバの種類に応じた波長帯で伝送する例を示す図である。図１６において、図２と共通する構成には同一の符号を付し、その説明は省略する。
【０１８４】
一例として、ネットワークＮＷ＃１，ＮＷ＃２にＳＭＦ（Single Mode Fiber）及びＤＳＦ（Dispersion Shift Fiber）が混在する場合を挙げる。例えばノード＃４とノード＃１の間はＳＭＦで接続され、ノード＃１とノード＃５の間はＤＳＦで接続され、ノード＃５とノード＃８の間はＳＭＦで接続されていると仮定する。ＤＳＦはゼロ分散波長がＣバンド内に存在するため、Ｃバンドの波長多重信号光Ｓ２ａをノード＃１，＃５の間のＤＳＦに伝送すると非線形光学効果により伝送特性が劣化するおそれがある。
【０１８５】
そこで、ノード＃１の伝送装置は、波長多重信号光Ｓ２ｂの波長帯をＣバンドからＬバンドに変換してＤＳＦ（つまり伝送路９）に伝送する。このとき、ノード＃１の伝送装置内の波長多重信号光Ｓ２ｂの経路は図６の符号Ｒ２１ｂに示されるとおりである。この経路において、波長変換器２８が波長多重信号光Ｓ２ｂの波長帯をＣバンドからＬバンドに変換する。
【０１８６】
また、ノード＃５の伝送装置は、波長多重信号光Ｓ２ｂの波長帯をＬバンドからＣバンドに変換してＤＳＦ（つまり伝送路９）に伝送する。このとき、波長変換器３１は波長多重信号光Ｓ２ｂの波長帯をＬバンドからＣバンドに変換する。
【０１８７】
符号Ｗ４１は、ノード＃４とノード＃１の間のＳＭＦに伝送される波長多重信号光Ｓ２ｂのスペクトルの一例を示し、符号Ｗ４２は、ノード＃１とノード＃５の間のＤＳＦに伝送される波長多重信号光Ｓ２ｂのスペクトルの一例を示す。符号Ｗ４３は、ノード＃５とノード＃８の間のＳＭＦに伝送される波長多重信号光Ｓ２ｂのスペクトルの一例を示す。
【０１８８】
波長多重信号光Ｓ２ｂは、ＳＭＦに伝送されるときにＣバンドの波長帯を有し、ＤＳＦに伝送されるときにＬバンドの波長帯を有する。このため、ノード＃１とノード＃５の間のＤＳＦにおける波長多重信号光Ｓ２ｂの伝送品質の劣化が抑制される。
【０１８９】
（波長光のアド／ドロップ機能の追加）
波長多重部４０は、波長多重信号光Ｓ１ａ，Ｓ２ａ，Ｓ１ｂ，Ｓ２ｂの各波長光をスルーする機能しか備えていないが、波長光のアド機能またはドロップ機能を追加してもよい。
【０１９０】
図１７は、波長光のアド機能及びドロップ機能を有する波長多重部４０ａの一例を示す構成図である。波長多重部４０ａは、図４の波長多重部４０に代えて設けられる。なお、図１７には、図４の構成のうち、設定処理部１、光増幅器２２ａ，２３ａ，２２ｂ，２３ｂ、及び波長変換器２７のみが示されている。
【０１９１】
波長多重部４０ａは、入力側ＷＳＳ２４ｃ，２４ｄ，２５ｃ，２５ｄ及び出力側ＷＳＳ２６ｃ，２６ｄを有する。入力側ＷＳＳ２４ｃ，２４ｄ，２５ｃ，２５ｄのポートｂ，ｃと出力側ＷＳＳ２６ｃ，２６ｄのポートｄ〜ｇの接続関係は、図４に示されるポートｂ，ｃとポートｄ〜ｇの接続関係と同じである。このため、波長多重部４０ａは、図４の波長多重部４０と同様のスルー機能を備える。なお、ポートａ，ｈの接続先も波長多重部４０のポートａ，ｈと同じである。
【０１９２】
入力側ＷＳＳ２４ｃ，２４ｄ，２５ｃ，２５ｄは、入力側ＷＳＳ２４ａ，２４ｂ，２５ａ，２５ｂに、マルチキャストスイッチ（ＭＣＳ）２００に接続するポートｋが追加されたものである。ＭＣＳ２００は、ドロップされる波長光を受信する受信器Ｒｘと波長多重部４０ａを接続する。
【０１９３】
ＭＣＳ２００は、各入力側ＷＳＳ２４ｃ，２４ｄ，２５ｃ，２５ｄのポートｋと接続されるポートｖ〜ｙを有する。入力側ＷＳＳ２４ｃ，２４ｄ，２５ｃ，２５ｄは、設定処理部１の設定に従い、ポートａから入力された波長多重信号光Ｓ１ａ，Ｓ２ｂ，Ｓ１ｂ，Ｓ２ｂからドロップ対象の波長光を分離してポートｋから出力する。ＭＣＳ２００は、ポートｖ〜ｙから入力された各波長光を、その宛先に応じた受信器Ｒｘに出力する。
【０１９４】
また、出力側ＷＳＳ２６ｃ，２６ｄは、出力側ＷＳＳ２６ａ，２６ｂに、ＭＣＳ２０１に接続するポートｉが追加されたものである。ＭＣＳ２０１は、伝送装置の内部または外部に設けられ、アドされる波長光を送信する送信器Ｔｘと波長多重部４０ａを接続する。
【０１９５】
ＭＣＳ２０１は、各出力側ＷＳＳ２６ｃ，２６ｄのポートｉと接続されるポートｔ，ｕを有する。ＭＣＳ２０１は、各送信器Ｔｘから入力されたアド対象の波長光をその宛先に応じたポートｔ，ｕから出力する。出力側ＷＳＳ２６ｃ，２６ｄは、ポートｉから入力された波長光を波長多重信号光Ｓ１ａ，Ｓ２ａ，Ｓ１ｂ，Ｓ２ｂに波長多重する。
【０１９６】
設定処理部１は、入力側ＷＳＳ２４ｃ，２４ｄ，２５ｃ，２５ｄのポートｂ，ｃ，ｋ、出力側ＷＳＳ２６ａ，２６ｂのポートｄ〜ｇ，ｉ、ＭＣＳ２００のポートｖ〜ｙ、及びＭＣＳ２０１のポートｔ，ｕの接続関係を示す接続構成データベース（ＤＢ）１３１に従ってパス設定を行う。接続構成ＤＢ１３１は、例えばＨＤＤ１３に格納されている。
【０１９７】
図１８は、接続構成ＤＢ１３１の一例を示す図である。接続構成ＤＢ１３１は、入力側ＷＳＳ接続テーブル１３１ａ、出力側ＷＳＳ接続テーブル１３１ｂ、及びＭＣＳ接続テーブル１３１ｃを含む。
【０１９８】
入力側ＷＳＳ接続テーブル１３１ａは各入力側ＷＳＳ２４ｃ，２４ｄ，２５ｃ，２５ｄのポートｂ，ｃ，ｋの接続先ポートを示す。入力側ＷＳＳ接続テーブル１３１ａには、入力側ＷＳＳ２４ｃ，２４ｄ，２５ｃ，２５ｄの識別子であるＷＳＳ−ＩＤ、ポートｂ，ｃ，ｋの識別子であるポートＩＤ、及び接続先ポートの識別子である接続先ポートＩＤが登録されている。
【０１９９】
接続先ポートＩＤは、一例として、接続先の出力側ＷＳＳ２６ｃ，２６ｄまたはＭＣＳ２００の符号とポートの符号をハイフンで結んだ形式で示されている。例えば入力側ＷＳＳ２４ｃのポートｋはＭＣＳ２００のポートｙ（２００−ｙ）に接続される。
【０２００】
出力側ＷＳＳ接続テーブル１３１ｂは各出力側ＷＳＳ２６ｃ，２６ｄのポートｄ〜ｇ，ｉの接続先ポートを示す。出力側ＷＳＳ接続テーブル１３１ｂには、出力側ＷＳＳ２６ｃ，２６ｄの識別子であるＷＳＳ−ＩＤ、ポートｄ〜ｇ，ｉの識別子であるポートＩＤ、及び接続先ポートの識別子である接続先ポートＩＤが登録されている。
【０２０１】
接続先ポートＩＤは、一例として、接続先の入力側ＷＳＳ２４ｃ，２４ｄ，２５ｃ，２５ｄまたはＭＣＳ２０１の符号とポートの符号をハイフンで結んだ形式で示されている。例えば出力側ＷＳＳ２６ｃのポートｉはＭＣＳ２０１のポートｖ（２０１−ｖ）に接続される。
【０２０２】
ＭＣＳ接続テーブル１３１ｃは、ＭＣＳ２００のポートｖ〜ｙ及びＭＣＳ２０１のポートｔ，ｕの接続先ポートを示す。ＭＣＳ接続テーブル１３１ｃには、ＭＣＳ２００，２０１の識別子であるＭＣＳ−ＩＤ、ポートｔ〜ｙの識別子であるポートＩＤ、及び接続先ポートの識別子である接続先ポートＩＤが登録されている。
【０２０３】
接続先ポートＩＤは、一例として、接続先の出力側ＷＳＳ２６ｃ，２６ｄの符号とポートの符号をハイフンで結んだ形式で示されている。例えばＭＣＳ２０１のポートｕは出力側ＷＳＳ２６ｄのポートｉ（２６ｄ−ｉ）に接続される。
【０２０４】
また、入力側ＷＳＳ２４ｃ，２４ｄ，２５ｃ，２５ｄと出力側ＷＳＳ２６ｃ，２６ｄはＭＣＳを介してクロスコネクトしてもよい。
【０２０５】
図１９は、波長光のアド機能及びドロップ機能を有する波長多重部４０ａの他の例を示す構成図である。図１９において、図１７と共通する構成には同一の符号を付し、その説明は省略する。
【０２０６】
波長多重部４０ａは、ＭＣＳ２００ａ，２０１ａを含む光スイッチ部２０２を介して受信器Ｒｘ及び送信器Ｔｘと接続されている。光スイッチ部２０２は伝送装置の内部または外部に設けられる。
【０２０７】
ＭＣＳ２００ａは、各入力側ＷＳＳ２４ｃ，２４ｄ，２５ｃ，２５ｄと接続される複数の入力ポート（不図示）と、ＭＣＳ２０１ａ及び各受信器Ｒｘと接続される複数の出力ポート（不図示）を有する。また、ＭＣＳ２０１ａは、ＭＣＳ２００ａ及び各送信器Ｔｘと接続される複数の入力ポート（不図示）と、各出力側ＷＳＳ２６ｃ，２６ｄと接続される複数の出力ポートを有する。
【０２０８】
入力側ＷＳＳ２４ｃ，２４ｄのポートｃ及び入力側ＷＳＳ２５ｃ，２５ｄのポートｂは、設定処理部１の設定に従い、ＭＣＳ２００ａ，２０１ａを介して出力側ＷＳＳ２６ｃのポートｆ，ｇ及び出力側ＷＳＳ２６ｄのポートｄ，ｅと接続される。設定処理部１は、入力側ＷＳＳ２４ｃ，２４ｄ，２５ｃ，２５ｄと出力側ＷＳＳ２６ｃ，２６ｄの間のクロスコネクトが、図１８に示されるクロスコネクトと同一となるように設定を行う。
【０２０９】
また、設定処理部１は、入力側ＷＳＳ２４ｃ，２５ｃ，２４ｄ，２５ｄのポートｋからＭＣＳ２００ａに入力されたドロップ対象の波長光がその宛先に応じた受信器Ｒｘに出力されるようにＭＣＳ２００ａを設定する。さらに、設定処理部１は、送信器ＴｘからＭＣＳ２０１ａに入力されたアド対象の波長光が出力側ＷＳＳ２６ｃ，２６ｄのポートｉに出力されるようにＭＣＳ２０１ａを設定する。
【０２１０】
これにより、波長多重部４０ａは、アド機能及びドロップ機能を備えるとともに、図４の波長多重部４０と同様に波長多重を行うことができる。なお、光スイッチ部２０２には、ＭＣＳ２００ａ，２０１ａに代えて、波長選択スイッチが設けられてもよい。また、ノード＃５の伝送装置も、上記と同様にＭＣＳなどを波長多重部４１に接続することにより、アド機能及びドロップ機能を備えることができる。
【０２１１】
図１７及び図１９に示される構成において、送信器Ｔｘは、出力側ＷＳＳ２６ｃ，２６ｄにＣバンドの波長光を送信する。このため、伝送装置は、出力側ＷＳＳ２６ｃ，２６ｄから出力される波長多重信号光Ｓ１ｃに、送信器Ｔｘから出力される波長光をアドすることができる。
【０２１２】
また、受信器Ｒｘは、入力側ＷＳＳ２４ｃ，２５ｃ，２４ｄ，２５ｄからＣバンドの波長光を送信する。このため、伝送装置は、入力側ＷＳＳ２４ｃ，２５ｃ，２４ｄ，２５ｄに入力された波長多重信号光Ｓ１ａ，Ｓ２ａ，Ｓ１ｂ，Ｓ２ｂから波長光をドロップすることができる。
【０２１３】
（光増幅器の追加）
波長多重信号光Ｓ１ａ，Ｓ２ａ，Ｓ１ｂ，Ｓ２ｂは、波長変換器２１ａ，２１ｂ，２８により波長帯が変換されると、パワーが低下する。このため、パワーの低下分を補償する光増幅器を追加すると好ましい。
【０２１４】
図２０は、光増幅器２２ｃ，２２ｄ，２７ｃが追加された伝送装置の一例を示す構成図である。図２０において、図４と共通する構成には同一の符号を付し、その説明は省略する。
【０２１５】
光増幅器２２ｃ，２２ｄは、分波器２０ａ，２０ｂと波長変換器２１ａ，２１ｂの間にそれぞれ設けられている。光増幅器２２ｃ，２２ｄは、波長変換器２１ａ，２１ｂに入力される波長多重信号光Ｓ１ａ，Ｓ１ｂをそれぞれ増幅する。これにより、波長変換器２１ａ，２１ｂによる波長帯の変換で生ずる波長多重信号光Ｓ１ａ，Ｓ１ｂのパワーの低下分が補償される。なお、光増幅器２２ｃ，２２ｄは、それぞれ、第１光増幅器及び第２光増幅器の一例である。また、伝送装置は、光増幅器２２ｃ，２２ｄを両方とも有する必要はなく、一方だけを有してもよい。
【０２１６】
また、光増幅器２７ｃは、波長変換器２８と合波器２９の間に設けられている。光増幅器２７ｃは、波長変換器２８から出力され合波器２９に入力される波長多重信号光Ｓ１ｃを増幅する。これにより、波長変換器２８による波長帯の変換で生ずる波長多重信号光Ｓ１ｃのパワーの低下分が補償される。なお、光増幅器２７ｃは第３光増幅器の一例である。
【０２１７】
（第２実施例におけるノード＃１の伝送装置）
図２１は、第２実施例におけるノード＃１の伝送装置を示す構成図である。図２１において、図４と共通する構成には同一の符号を付し、その説明は省略する。
【０２１８】
本例において、ノード＃１の伝送装置は、波長多重部４０に代えて波長多重部４０ｂを有する。波長多重部４０ｂは、入力側ＷＳＳ２４ａ，２５ａ，２４ｂ，２５ｂ、出力側ＷＳＳ２６ｅ，２６ｆ、及び合波器４００ａ，４００ｂを有する。出力側ＷＳＳ２６ｅ，２６ｆは、出力側ＷＳＳ２６ａ，２６ｂに出力側のポートｉが追加されたものである。なお、入力側ＷＳＳ２４ａ，２５ａ，２４ｂ，２５ｂと出力側ＷＳＳ２６ｅ，２６ｆの間のポート接続は、図４に示されたポート接続の一部と同じであるため、説明は省略する。
【０２１９】
出力側ＷＳＳ２６ｅは、ポートｄから波長多重信号光Ｓ１ａが入力され、ポートｅから波長多重信号光Ｓ１ｂが入力される。出力側ＷＳＳ２６ｆは、ポートｆから波長多重信号光Ｓ２ａが入力され、ポートｇから波長多重信号光Ｓ２ｂが入力される。
【０２２０】
出力側ＷＳＳ２６ｅは、波長多重信号光Ｓ１ａ，Ｓ１ｂに含まれる各波長光のうち、波長多重信号光Ｓ１ｃに収容する波長光をポートｈから合波器４００ａに出力し、波長多重信号光Ｓ２ｃに収容する波長光をポートｉから合波器４００ｂに出力する。出力側ＷＳＳ２６ｆは、波長多重信号光Ｓ２ａ，Ｓ２ｂに含まれる各波長光のうち、波長多重信号光Ｓ２ｃに収容する波長光をポートｈから合波器４００ｂに出力し、波長多重信号光Ｓ１ｃに収容する波長光をポートｉから合波器４００ａに出力する。
【０２２１】
なお、出力側ＷＳＳ２６ｅは第７波長選択スイッチの一例であり、出力側ＷＳＳ２６ｆは第８波長選択スイッチの一例である。出力側ＷＳＳ２６ｅのポートｈ，ｉは、それぞれ、第１ポート及び第２ポートの一例であり、出力側ＷＳＳ２６ｆのポートｉ，ｈは、それぞれ、第３ポート及び第４ポートの一例である。
【０２２２】
合波器４００ａは、出力側ＷＳＳ２６ｅのポートｈ及び出力側ＷＳＳ２６ｆのポートｉからそれぞれ入力された波長光を合波する。合波器４００ｂは、出力側ＷＳＳ２６ｅのポートｉ及び出力側ＷＳＳ２６ｆのポートｈからそれぞれ入力された波長光を合波する。合波器４００ａは、各波長光を合波することにより波長多重信号光Ｓ１ｃを生成し、合波器４００ｂは、各波長光を合波することにより波長多重信号光Ｓ２ｃを生成する。合波器４００ａ，４００ｂとしては、例えば光カプラが挙げられるが、これに限定されない。
【０２２３】
符号Ｗ４１〜Ｗ４３は、図４の符号Ｗ１１〜Ｗ１３と同様に、波長多重信号光Ｓ１ｂと波長多重信号光Ｓ２ａが波長多重されて波長多重信号光Ｓ２ｃが生成される様子を示す。Ｃバンドに変換された波長多重信号光Ｓ１ｂ（符号Ｗ４１）は、入力側ＷＳＳ２４ｂから出力側ＷＳＳ２６ｅに入力され、ポートｉから合波器４００ｂに出力される。また、波長多重信号光Ｓ２ａは、入力側ＷＳＳ２５ａから出力側ＷＳＳ２６ｆに入力され（符号Ｗ４２）、ポートｈから合波器４００ｂに出力される。
【０２２４】
合波器４００ｂは、出力側ＷＳＳ２６ｅ，２６ｆからそれぞれ入力された波長多重信号光Ｓ１ｂ，Ｓ２ａを合波することにより波長多重信号光Ｓ２ｃを生成する。
【０２２５】
また、Ｃバンドに変換された波長多重信号光Ｓ１ａは、入力側ＷＳＳ２４ａから出力側ＷＳＳ２６ｅに入力され、ポートｈから合波器４００ａに出力される。出力側ＷＳＳ２６ｆから合波器４００ａに入力される波長多重信号はないため、合波器４００ａは、波長多重信号光Ｓ１ａを波長多重信号光Ｓ１ｃとして出力する。
【０２２６】
このように、本例の構成によると、波長多重部４０ｂは、合波器４００ａ，４００ｂを用いて波長多重部４０と同様の機能を実現することができる。なお、波長多重部４０ｂは生成部の一例である。
【０２２７】
また、本例において、出力側ＷＳＳ２６ｅには波長多重信号光Ｓ１ａ，Ｓ１ｂが入力され、出力側ＷＳＳ２６ｆには波長多重信号光Ｓ２ａ，Ｓ２ｂが入力されるが、これに限定されない。各出力側ＷＳＳ２６ｅ，２６ｆには、４つの波長多重信号光Ｓ１ａ，Ｓ１ｂ，Ｓ２ａ，Ｓ２ｂのうちの何れ２つが入力されてもよい。
【０２２８】
（第３実施例におけるノード＃１の伝送装置）
図２２は、第３実施例におけるノード＃１の伝送装置を示す構成図である。図２２において、図４と共通する構成には同一の符号を付し、その説明は省略する。
【０２２９】
本例において、ノード＃１の伝送装置は、波長多重部４０に代えて波長多重部４０ｃを有する。波長多重部４０ｃは、入力側ＷＳＳ２４ｅ，２５ｅ，２４ｆ，２５ｆ、出力側ＷＳＳ２６ａ，２６ｂ、及び分波器４０１ａ，４０２ａ，４０１ｂ，４０２ｂを有する。入力側ＷＳＳ２４ｅ，２５ｅ，２４ｆ，２５ｆは、入力側ＷＳＳ２４ａ，２５ａ，２４ｂ，２５ｂに入力側のポートｄが追加されたものである。なお、入力側ＷＳＳ２４ｅ，２５ｅ，２４ｆ，２５ｆと出力側ＷＳＳ２６ａ，２６ｂの間のポート接続は、図４に示されたポート接続の一部と同じであるため、説明は省略する。
【０２３０】
分波器４０１ａは、光増幅器２２ａと入力側ＷＳＳ２４ｅ，２５ｅの間に接続され、波長多重信号光Ｓ１ａを分波して入力側ＷＳＳ２４ｅ，２５ｅに出力する。分波器４０２ａは、光増幅器２３ａと入力側ＷＳＳ２４ｅ，２５ｅの間に接続され、波長多重信号光Ｓ２ａを分波して入力側ＷＳＳ２４ｅ，２５ｅに出力する。
【０２３１】
分波器４０１ｂは、光増幅器２２ｂと入力側ＷＳＳ２４ｆの間に接続され、波長多重信号光Ｓ１ｂを分波して入力側ＷＳＳ２４ｆ，２５ｆに出力する。分波器４０２ｂは、光増幅器２３ｂと入力側ＷＳＳ２４ｆ，２５ｆの間に接続され、波長多重信号光Ｓ２ｂを分波して入力側ＷＳＳ２４ｆ，２５ｆに出力する。分波器４０１ａ，４０２ａ，４０１ｂ，４０２ｂとしては、例えば光スプリッタが挙げられるが、これに限定されない。
【０２３２】
入力側ＷＳＳ２４ｅには、ポートａから波長多重信号光Ｓ１ａが入力され、ポートｄから波長多重信号光Ｓ２ａが入力される。入力側ＷＳＳ２４ｅは、波長多重信号光Ｓ１ａ，Ｓ２ａに含まれる各波長光のうち、波長多重信号光Ｓ１ｃに収容する波長光をポートｂから出力側ＷＳＳ２６ａに出力する。
【０２３３】
入力側ＷＳＳ２５ｅには、ポートｄから波長多重信号光Ｓ１ａが入力され、ポートａから波長多重信号光Ｓ２ａが入力される。入力側ＷＳＳ２５ｅは、波長多重信号光Ｓ１ａ，Ｓ２ａに含まれる各波長光のうち、波長多重信号光Ｓ２ｃに収容する波長光をポートｃから出力側ＷＳＳ２６ｂに出力する。
【０２３４】
入力側ＷＳＳ２４ｆには、ポートａから波長多重信号光Ｓ１ｂが入力され、ポートｄから波長多重信号光Ｓ２ｂが入力される。入力側ＷＳＳ２４ｆは、波長多重信号光Ｓ１ｂ，Ｓ２ｂに含まれる各波長光のうち、波長多重信号光Ｓ１ｃに収容する波長光をポートｂから出力側ＷＳＳ２６ａに出力する。
【０２３５】
入力側ＷＳＳ２５ｆには、ポートｄから波長多重信号光Ｓ１ｂが入力され、ポートａから波長多重信号光Ｓ２ｂが入力される。入力側ＷＳＳ２５ｆは、波長多重信号光Ｓ１ｂ，Ｓ２ｂに含まれる各波長光のうち、波長多重信号光Ｓ２ｃに収容する波長光をポートｃから出力側ＷＳＳ２６ｂに出力する。
【０２３６】
出力側ＷＳＳ２６ａは、ポートｄ，ｅから入力された各波長光を波長多重することにより波長多重信号光Ｓ１ｃを生成する。また、出力側ＷＳＳ２６ｂは、ポートｆ，ｇから入力された各波長光を波長多重することにより波長多重信号光Ｓ２ｃを生成する。
【０２３７】
符号Ｗ５１〜Ｗ５３は、図４の符号Ｗ１１〜Ｗ１３と同様に、波長多重信号光Ｓ１ｂと波長多重信号光Ｓ２ａが波長多重されて波長多重信号光Ｓ２ｃが生成される様子を示す。Ｃバンドに変換された波長多重信号光Ｓ１ｂ（符号Ｗ５１）は、分波器４０２ｂで分波されて入力側ＷＳＳ２５ｆに入力され、入力側ＷＳＳ２５ｆから出力側ＷＳＳ２６ｂに入力される。また、波長多重信号光Ｓ２ａは、分波器４０２ａで分波されて入力側ＷＳＳ２５ｅに入力され、入力側ＷＳＳ２５ｅから出力側ＷＳＳ２６ｂに入力される（符号Ｗ５２）。
【０２３８】
また、Ｃバンドに変換された波長多重信号光Ｓ１ａは、分波器４０１ａで分波されて入力側ＷＳＳ２４ｅに入力され、入力側ＷＳＳ２４ｅから出力側ＷＳＳ２６ａに入力される。入力側ＷＳＳ２４ｆから出力側ＷＳＳ２６ａに入力される波長多重信号はないため、出力側ＷＳＳ２６ａは、波長多重信号光Ｓ１ａを波長多重信号光Ｓ１ｃとして出力する。
【０２３９】
このように、本例の構成によると、波長多重部４０ｃは、分波器４０１ａ，４０２ａ，４０１ｂ，４０２ｂを用いて波長多重部４０と同様の機能を実現することができる。なお、波長多重部４０ｃは生成部の一例である。
【０２４０】
（３つの波長帯の波長多重信号光を合波する構成）
これまでの実施例では、ＣバンドとＬバンドの波長多重信号光Ｓ１ａ，Ｓ２ａ，Ｓ１ｂ，Ｓ２ｂを合波する伝送装置を挙げたが、これに限定されず、伝送装置は、Ｃバンド、Ｌバンド、及びＳバンドの波長多重信号光を合波してもよい。
【０２４１】
図２３は、Ｌバンド、Ｃバンド、及びＳバンドの波長多重信号光を合波する伝送装置の一例を示す構成図である。本例ではノード＃１の伝送装置を挙げるが、ノード＃５の伝送装置については、以下の構成を図７の伝送装置に適用した構成となる。
【０２４２】
伝送装置は、設定処理部１ａ、分波器５０ａ，５０ｂ、波長変換器５１ａ，５１ｂ，５２ａ，５２ｂ，６５，６６、光増幅器５３ａ〜５５ａ，５３ｂ〜５５ｂ，６２〜６４、波長多重部４０ｄ、及び合波器６７を有する。波長変換器５１ａ，５１ｂ，５２ａ，５２ｂ，６５，６６は、一例として、図３に示された構成を有する。波長多重部４０ｄは、入力側ＷＳＳ５６ａ〜５８ａ，５６ｂ〜５８ｂ及び出力側ＷＳＳ５９〜６１を含む。
【０２４３】
ノード＃１の伝送装置には、図２の例とは異なり、ノード＃２からＬバンド、Ｃバンド、及びＳバンドの波長多重信号光Ｓ１ａ〜Ｓ３ａの合波光Ｓａが入力され、ノード＃４からＬバンド、Ｃバンド、及びＳバンドの波長多重信号光Ｓ１ｂ〜Ｓ３ｂの合波光Ｓｂが入力されると仮定する。
【０２４４】
分波器５０ａは、ノード＃２から入力された合波光Ｓａから、Ｌバンド、Ｃバンド、及びＳバンドの各波長多重信号光Ｓ１ａ〜Ｓ３ａを分波する。分波器５０ｂは、ノード＃２から入力された合波光Ｓｂから、Ｌバンド、Ｃバンド、及びＳバンドの各波長多重信号光Ｓ１ｂ〜Ｓ３ｂを分波する。なお、分波器５０ａ，５０ｂは、例えば光フィルタや光スプリッタである。
【０２４５】
波長変換器５１ａ，５１ｂは、波長多重信号光Ｓ１ａ，Ｓ１ｂの波長帯をＬバンドからＣバンドにそれぞれ変換する。波長変換器５２ａ，５２ｂは、波長多重信号光Ｓ３ａ，Ｓ３ｂの波長帯をＳバンドからＣバンドにそれぞれ変換する。
【０２４６】
光増幅器５３ａ〜５５ａは波長多重信号光Ｓ１ａ〜Ｓ３ａをそれぞれ増幅する。波長多重信号光Ｓ１ａ〜Ｓ３ａは光増幅器５３ａ〜５５ａから波長多重部４０ｄに入力される。光増幅器５３ｂ〜５５ｂは波長多重信号光Ｓ１ｂ〜Ｓ３ｂをそれぞれ増幅する。波長多重信号光Ｓ１ｂ〜Ｓ３ｂは光増幅器５３ｂ〜５５ｂから波長多重部４０ｄに入力される。
【０２４７】
波長多重部４０ｄにおいて、入力側ＷＳＳ５６ａ〜５８ａ，５６ｂ〜５８ｂ及び出力側ＷＳＳ５９〜６１はクロスコネクトの形態で接続されている。例えば入力側ＷＳＳ５６ａ〜５８ａは、それぞれ、各出力側ＷＳＳ５９〜６１と接続されている。
【０２４８】
波長多重信号光Ｓ１ａ〜Ｓ３ａは光増幅器５３ａ〜５５ａから入力側ＷＳＳ５６ａ〜５８ａに入力され、波長多重信号光Ｓ１ｂ〜Ｓ３ｂは光増幅器５３ｂ〜５５ｂから入力側ＷＳＳ５６ｂ〜５８ｂに入力される。
【０２４９】
設定処理部１ａは、図１４と同様の構成を有し、入力側ＷＳＳ５６ａ〜５８ａ，５６ｂ〜５８ｂ及び出力側ＷＳＳ５９〜６１を設定する。出力側ＷＳＳ５９は、設定処理部１ａの設定に従い、波長多重信号光Ｓ１ａに波長多重信号光Ｓ１ｂ〜Ｓ３ｂの何れかを波長多重して波長多重信号光Ｓ１ｃを生成する。波長多重信号光Ｓ１ｃは出力側ＷＳＳ５９から光増幅器６２に出力される。
【０２５０】
出力側ＷＳＳ６０は、設定処理部１ａの設定に従い、波長多重信号光Ｓ２ａに波長多重信号光Ｓ１ｂ〜Ｓ３ｂの何れかを波長多重して波長多重信号光Ｓ２ｃを生成する。波長多重信号光Ｓ２ｃは出力側ＷＳＳ６０から光増幅器６３に出力される。
【０２５１】
出力側ＷＳＳ６１は、設定処理部１ａの設定に従い、波長多重信号光Ｓ３ａに波長多重信号光Ｓ１ｂ〜Ｓ３ｂの何れかを波長多重して波長多重信号光Ｓ３ｃを生成する。波長多重信号光Ｓ３ｃは出力側ＷＳＳ６１から光増幅器６４に出力される。
【０２５２】
光増幅器６２〜６４は波長多重信号光Ｓ１ｃ〜Ｓ３ｃをそれぞれ増幅する。波長多重信号光Ｓ１ｃ，Ｓ３ｃは波長変換器６５，６６にそれぞれ入力される。波長多重信号光Ｓ２ｃは合波器６７に入力される。
【０２５３】
波長変換器６５は、波長多重信号光Ｓ１ｃの波長帯をＣバンドからＬバンドに変換する。波長変換器６６は、波長多重信号光Ｓ３ｃの波長帯をＣバンドからＳバンドに変換する。
【０２５４】
合波器６７は、Ｌバンドの波長多重信号光Ｓ１ｃ、Ｃバンドの波長多重信号光Ｓ２ｃ、及びＳバンドの波長多重信号光Ｓ３ｃを合波することにより合波光Ｓｃを生成する。合波光Ｓｃは伝送路９に出力される。
【０２５５】
このように、波長変換器５１ａは、波長多重信号光Ｓ１ａの波長帯をＬバンドからＣバンドに変換し、波長変換器５２ａは、波長多重信号光Ｓ３ａの波長帯をＳバンドからＣバンドに変換する。また、入力側ＷＳＳ５７ｂは、出力側ＷＳＳ５９〜６１とクロスコネクトの形態で接続されているため、波長多重信号光Ｓ２ｂの出力先を出力側ＷＳＳ５９〜６１から選択することができる。
【０２５６】
したがって、出力側ＷＳＳ５９〜６１は、空きスロットがある波長多重信号光Ｓ１ａ〜Ｓ３ａにＣバンドの波長多重信号光Ｓ２ｂを波長多重することができる。このため、伝送装置は、波長多重信号光Ｓ２ｂをパスＰｂに従って中継することが可能である。
【０２５７】
また、波長変換器５１ｂは、波長多重信号光Ｓ１ｂの波長帯をＬバンドからＣバンドに変換し、波長変換器５２ｂは、波長多重信号光Ｓ３ｂの波長帯をＳバンドからＣバンドに変換する。また、入力側ＷＳＳ５６ｂ，５８ｂは、出力側ＷＳＳ５９〜６１とクロスコネクトの形態で接続されているため、波長多重信号光Ｓ１ｂ，Ｓ３ｂの出力先を出力側ＷＳＳ５９〜６１を選択することができる。
【０２５８】
したがって、出力側ＷＳＳ５９〜６１は、空きスロットがある波長多重信号光Ｓ１ａ〜Ｓ３ａにＬバンドまたはＳバンドの波長多重信号光Ｓ１ｂ，Ｓ３ｂを波長多重することができる。このため、伝送装置は、波長多重信号光Ｓ１ｂ，Ｓ３ｂをパスＰｂに従って中継することが可能である。
【０２５９】
なお、波長変換器５１ａ，５２ａは第１波長変換器の一例であり、波長変換器５１ｂ，５２ｂは第２波長変換器の一例である。波長変換器６５，６６は第３波長変換器の一例である。また、合波器６７は第１合波器の一例である。波長多重部４０ｄは生成部の一例であり、設定処理部１ａは設定部の一例である。
【０２６０】
上述した実施形態は本発明の好適な実施の例である。但し、これに限定されるものではなく、本発明の要旨を逸脱しない範囲内において種々変形して実施可能である。
【０２６１】
なお、以上の説明に関して更に以下の付記を開示する。
（付記１）  第１波長帯の第１波長多重信号光と第２波長帯の第２波長多重信号光が合波された第１入力信号光が入力される第１入力ポートと、
前記第１波長帯の第３波長多重信号光と前記第２波長帯の第４波長多重信号光が合波された第２入力信号光が入力される第２入力ポートと、
前記第１波長多重信号光の波長帯を前記第１波長帯から前記第２波長帯に変換する第１波長変換器と、
前記第３波長多重信号光の波長帯を前記第１波長帯から前記第２波長帯に変換する第２波長変換器と、
前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成する生成部と、
前記第１出力信号光の波長帯を前記第２波長帯から前記第１波長帯に変換する第３波長変換器と、
前記第３波長変換器により波長帯が変換された前記第１出力信号光、及び前記第２出力信号光を合波することにより合波光を生成する第１合波器と、
前記合波光を出力する出力ポートとを有することを特徴とする伝送装置。
（付記２）  前記生成部は、
前記複数の第１波長光を波長多重することにより前記第１出力信号光を生成する第１波長選択スイッチと、
前記複数の第２波長光を波長多重することにより前記第２出力信号光を生成する第２波長選択スイッチと、
前記第１波長多重信号光に含まれる波長光を前記第１波長選択スイッチまたは前記第２波長選択スイッチに出力する第３波長選択スイッチと、
前記第２波長多重信号光に含まれる波長光を前記第１波長選択スイッチまたは前記第２波長選択スイッチに出力する第４波長選択スイッチと、
前記第３波長多重信号光に含まれる波長光を前記第１波長選択スイッチまたは前記第２波長選択スイッチに出力する第５波長選択スイッチと、
前記第４波長多重信号光に含まれる波長光を前記第１波長選択スイッチまたは前記第２波長選択スイッチに出力する第６波長選択スイッチとを含むことを特徴とする付記１に記載の伝送装置。
（付記３）  前記第１波長選択スイッチまたは前記第２波長選択スイッチに前記第２波長帯の波長の波長光を送信する送信器を有することを特徴とする付記２に記載の伝送装置。
（付記４）  前記第３波長選択スイッチ、前記第４波長選択スイッチ、前記第５波長選択スイッチ、または前記第６波長選択スイッチから前記第２波長帯の波長の波長光を受信する受信器を有することを特徴とする付記２または３に記載の伝送装置。
（付記５）  前記生成部は、
前記第１波長多重信号光、前記第２波長多重信号光、前記第３波長多重信号光、及び前記第４波長多重信号光のうち、２つの波長多重信号光の一方に含まれる前記複数の第１波長光を出力する第１ポートと、前記２つの波長多重信号光の他方に含まれる前記複数の第２波長光を出力する第２ポートとを有する第７波長選択スイッチと、
前記第１波長多重信号光、前記第２波長多重信号光、前記第３波長多重信号光、及び前記第４波長多重信号光のうち、他の２つの波長多重信号光の一方に含まれる前記複数の第１波長光を出力する第３ポートと、前記他の２つの波長多重信号光の他方に含まれる前記複数の第２波長光を出力する第４ポートとを有する第８波長選択スイッチと、
前記第１ポート及び前記第３ポートから入力された前記複数の第１波長光を合波する第２合波器と、
前記第２ポート及び前記第４ポートから入力された前記複数の第２波長光を合波する第３合波器とを含むことを特徴とする付記１に記載の伝送装置。
（付記６）  前記生成部は、
前記複数の第１波長光を波長多重することにより前記第１出力信号光を生成する第９波長選択スイッチと、
前記複数の第２波長光を波長多重することにより前記第２出力信号光を生成する第１０波長選択スイッチと、
前記第１波長多重信号光を分波する第１分波器と、
前記第２波長多重信号光を分波する第２分波器と、
前記第３波長多重信号光を分波する第３分波器と、
前記第４波長多重信号光を分波する第４分波器と
前記第１分波器から入力された前記第１波長多重信号光、及び前記第２分波器から入力された前記第２波長多重信号光に含まれる前記複数の第１波長光を前記第９波長選択スイッチに出力する第１１波長選択スイッチと、
前記第１分波器から入力された前記第１波長多重信号光、及び前記第２分波器から入力された前記第２波長多重信号光に含まれる前記複数の第２波長光を前記第１０波長選択スイッチに出力する第１２波長選択スイッチと、
前記第３分波器から入力された前記第３波長多重信号光、及び前記第４分波器から入力された前記第４波長多重信号光に含まれる前記複数の第１波長光を前記第９波長選択スイッチに出力する第１３波長選択スイッチと、
前記第３分波器から入力された前記第３波長多重信号光、及び前記第４分波器から入力された前記第４波長多重信号光に含まれる前記複数の第２波長光を前記第１０波長選択スイッチに出力する第１４波長選択スイッチとを含むことを特徴とする付記１に記載の伝送装置。
（付記７）  前記第１波長変換器に入力される前記第１波長多重信号光を増幅する第１光増幅器、及び前記第２波長変換器に入力される前記第３波長多重信号光を増幅する第２光増幅器の少なくとも一方を有することを特徴とする付記１乃至６の何れかに記載の伝送装置。
（付記８）  前記第３波長変換器により波長帯が変換されて前記第１合波器に入力される前記第１出力信号光を増幅する第３光増幅器を有することを特徴とする付記１乃至７の何れかに記載の伝送装置。
（付記９）  第１伝送装置と、
前記第１伝送装置と伝送路を介して接続された第２伝送装置とを有し、
前記第１伝送装置は、
第１波長帯の第１波長多重信号光と第２波長帯の第２波長多重信号光が合波された第１入力信号光が入力される第１入力ポートと、
前記第１波長帯の第３波長多重信号光と前記第２波長帯の第４波長多重信号光が合波された第２入力信号光が入力される第２入力ポートと、
前記第１波長多重信号光の波長帯を前記第１波長帯から前記第２波長帯に変換する第１波長変換器と、
前記第３波長多重信号光の波長帯を前記第１波長帯から前記第２波長帯に変換する第２波長変換器と、
前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成する生成部と、
前記第１出力信号光の波長帯を前記第２波長帯から前記第１波長帯に変換する第３波長変換器と、
前記第３波長変換器により波長帯が変換された前記第１出力信号光、及び前記第２出力信号光を合波することにより合波光を生成する第１合波器と、
前記合波光を出力する出力ポートとを有し、
前記第２伝送装置は、
前記合波光から前記第１出力信号光及び前記第２出力信号光を分波する分波器と、
前記第１出力信号光の波長帯を前記第１波長帯から前記第２波長帯に変換する第４波長変換器と、
前記第４波長変換器により波長帯が変換された前記第１出力信号光に含まれる各波長光と、前記第２出力信号光に含まれる各波長光とから、前記第１波長多重信号光、前記第２波長多重信号光、前記第３波長多重信号光、及び前記第４波長多重信号光を再生する再生部と、
前記第１波長多重信号光の波長帯を前記第２波長帯から前記第１波長帯に変換する第５波長変換器と、
前記第３波長多重信号光の波長帯を前記第２波長帯から前記第１波長帯に変換する第６波長変換器と、
前記第５波長変換器により波長帯が変換された前記第１波長多重信号光、及び前記第２波長多重信号光を合波することにより前記第１入力信号光を生成する第１受信側合波器と、
前記第４波長変換器により波長帯が変換された前記第３波長多重信号光、及び前記第４波長多重信号光を合波することにより前記第２入力信号光を生成する第２受信側合波器とを有することを特徴とする伝送システム。
（付記１０）  前記生成部は、
前記複数の第１波長光を波長多重することにより前記第１出力信号光を生成する第１波長選択スイッチと、
前記複数の第２波長光を波長多重することにより前記第２出力信号光を生成する第２波長選択スイッチと、
前記第１波長多重信号光に含まれる波長光を前記第１波長選択スイッチまたは前記第２波長選択スイッチに出力する第３波長選択スイッチと、
前記第２波長多重信号光に含まれる波長光を前記第１波長選択スイッチまたは前記第２波長選択スイッチに出力する第４波長選択スイッチと、
前記第３波長多重信号光に含まれる波長光を前記第１波長選択スイッチまたは前記第２波長選択スイッチに出力する第５波長選択スイッチと、
前記第４波長多重信号光に含まれる波長光を前記第１波長選択スイッチまたは前記第２波長選択スイッチに出力する第６波長選択スイッチとを含むことを特徴とする付記９に記載の伝送システム。
（付記１１）  前記第１波長選択スイッチまたは前記第２波長選択スイッチに前記第２波長帯の波長の波長光を送信する送信器を有することを特徴とする付記１０に記載の伝送システム。
（付記１２）  前記第３波長選択スイッチ、前記第４波長選択スイッチ、前記第５波長選択スイッチ、または前記第６波長選択スイッチから前記第２波長帯の波長の波長光を受信する受信器を有することを特徴とする付記１０または１１に記載の伝送システム。
（付記１３）  前記生成部は、
前記第１波長多重信号光、前記第２波長多重信号光、前記第３波長多重信号光、及び前記第４波長多重信号光のうち、２つの波長多重信号光の一方に含まれる前記複数の第１波長光を出力する第１ポートと、前記２つの波長多重信号光の他方に含まれる前記複数の第２波長光を出力する第２ポートとを有する第７波長選択スイッチと、
前記第１波長多重信号光、前記第２波長多重信号光、前記第３波長多重信号光、及び前記第４波長多重信号光のうち、他の２つの波長多重信号光の一方に含まれる前記複数の第１波長光を出力する第３ポートと、前記他の２つの波長多重信号光の他方に含まれる前記複数の第２波長光を出力する第４ポートとを有する第８波長選択スイッチと、
前記第１ポート及び前記第３ポートから入力された前記複数の第１波長光を合波する第２合波器と、
前記第２ポート及び前記第４ポートから入力された前記複数の第２波長光を合波する第３合波器とを含むことを特徴とする付記９に記載の伝送システム。
（付記１４）  前記生成部は、
前記複数の第１波長光を波長多重することにより前記第１出力信号光を生成する第９波長選択スイッチと、
前記複数の第２波長光を波長多重することにより前記第２出力信号光を生成する第１０波長選択スイッチと、
前記第１波長多重信号光を分波する第１分波器と、
前記第２波長多重信号光を分波する第２分波器と、
前記第３波長多重信号光を分波する第３分波器と、
前記第４波長多重信号光を分波する第４分波器と
前記第１分波器から入力された前記第１波長多重信号光、及び前記第２分波器から入力された前記第２波長多重信号光に含まれる前記複数の第１波長光を前記第９波長選択スイッチに出力する第１１波長選択スイッチと、
前記第１分波器から入力された前記第１波長多重信号光、及び前記第２分波器から入力された前記第２波長多重信号光に含まれる前記複数の第２波長光を前記第１０波長選択スイッチに出力する第１２波長選択スイッチと、
前記第３分波器から入力された前記第３波長多重信号光、及び前記第４分波器から入力された前記第４波長多重信号光に含まれる前記複数の第１波長光を前記第９波長選択スイッチに出力する第１３波長選択スイッチと、
前記第３分波器から入力された前記第３波長多重信号光、及び前記第４分波器から入力された前記第４波長多重信号光に含まれる前記複数の第２波長光を前記第１０波長選択スイッチに出力する第１４波長選択スイッチとを含むことを特徴とする付記９に記載の伝送システム。
（付記１５）  前記第１波長変換器に入力される前記第１波長多重信号光を増幅する第１光増幅器、及び前記第２波長変換器に入力される前記第３波長多重信号光を増幅する第２光増幅器の少なくとも一方を有することを特徴とする付記９乃至１４の何れかに記載の伝送システム。
（付記１６）  前記第３波長変換器により波長帯が変換されて前記第１合波器に入力される前記第１出力信号光を増幅する第３光増幅器を有することを特徴とする付記９乃至１５の何れかに記載の伝送システム。
（付記１７）  伝送装置と、
前記伝送装置を監視制御する監視制御装置とを有し、
前記伝送装置は、
第１波長帯の第１波長多重信号光と第２波長帯の第２波長多重信号光が合波された第１入力信号光が入力される第１入力ポートと、
前記第１波長帯の第３波長多重信号光と前記第２波長帯の第４波長多重信号光が合波された第２入力信号光が入力される第２入力ポートと、
前記第１波長多重信号光の波長帯を前記第１波長帯から前記第２波長帯に変換する第１波長変換器と、
前記第３波長多重信号光の波長帯を前記第１波長帯から前記第２波長帯に変換する第２波長変換器と、
前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成する生成部と、
前記第１出力信号光の波長帯を前記第２波長帯から前記第１波長帯に変換する第３波長変換器と、
前記第３波長変換器により波長帯が変換された前記第１出力信号光、及び前記第２出力信号光を合波することにより合波光を生成する合波器と、
前記合波光を出力する出力ポートと、
前記生成部に対して前記複数の第１波長光及び前記複数の第２波長光の各波長を設定する設定部とを有し、
前記監視制御装置は、
前記第１波長帯の前記第１波長多重信号光及び前記第３波長多重信号光に含まれる各波長光の波長と、前記第２波長帯の前記第２波長多重信号光及び前記第４波長多重信号光に含まれる各波長光の波長を示す波長情報を記憶する記憶部と、
前記波長情報に基づき、前記第１波長多重信号光及び前記第３波長多重信号光に含まれる各波長光の波長の重複、及び前記第２波長多重信号光及び前記第４波長多重信号光に含まれる各波長光の波長の重複を検出し、波長の重複を避けるように前記複数の第１波長光及び前記複数の第２波長光の各波長を決定する決定処理部と、
前記複数の第１波長光及び前記複数の第２波長光の各波長を前記設定部に通知する通知部とを有し、
前記設定部は、前記通知部の通知に従って前記複数の第１波長光及び前記複数の第２波長光の各波長を設定することを特徴とする伝送システム。
（付記１８）  前記生成部は、
前記複数の第１波長光を波長多重することにより前記第１出力信号光を生成する第１波長選択スイッチと、
前記複数の第２波長光を波長多重することにより前記第２出力信号光を生成する第２波長選択スイッチと、
前記第１波長多重信号光に含まれる波長光を前記第１波長選択スイッチまたは前記第２波長選択スイッチに出力する第３波長選択スイッチと、
前記第２波長多重信号光に含まれる波長光を前記第１波長選択スイッチまたは前記第２波長選択スイッチに出力する第４波長選択スイッチと、
前記第３波長多重信号光に含まれる波長光を前記第１波長選択スイッチまたは前記第２波長選択スイッチに出力する第５波長選択スイッチと、
前記第４波長多重信号光に含まれる波長光を前記第１波長選択スイッチまたは前記第２波長選択スイッチに出力する第６波長選択スイッチとを含むことを特徴とする付記１７に記載の伝送システム。
（付記１９）  前記第１波長選択スイッチまたは前記第２波長選択スイッチに前記第２波長帯の波長の波長光を送信する送信器を有することを特徴とする付記１８に記載の伝送システム。
（付記２０）  前記第３波長選択スイッチ、前記第４波長選択スイッチ、前記第５波長選択スイッチ、または前記第６波長選択スイッチから前記第２波長帯の波長の波長光を受信する受信器を有することを特徴とする付記１８または１９に記載の伝送システム。
【０２６２】
また、本実施例に以下の伝送方法を開示する。
第１波長帯の第１波長多重信号光と第２波長帯の第２波長多重信号光が合波された第１入力信号光を第１入力ポートに入力し、
前記第１波長帯の第３波長多重信号光と前記第２波長帯の第４波長多重信号光が合波された第２入力信号光を第２入力ポートに入力し、
第１波長変換器が、前記第１波長多重信号光の波長帯を前記第１波長帯から前記第２波長帯に変換し、
第２波長変換器が、前記第３波長多重信号光の波長帯を前記第１波長帯から前記第２波長帯に変換し、
生成部が、前記第１波長変換器により波長帯が変換された前記第１波長多重信号光、前記第２波長多重信号光、前記第２波長変換器により波長帯が変換された前記第３波長多重信号光、及び前記第４波長多重信号光に含まれる複数の波長光のうち、波長が重複せずに前記第１波長帯に収容される複数の第１波長光を波長多重することにより第１出力信号光を生成し、波長が重複せずに前記第２波長帯に収容される複数の第２波長光を波長多重することにより第２出力信号光を生成し、
第３波長変換器が、前記第１出力信号光の波長帯を前記第２波長帯から前記第１波長帯に変換し、
第１合波器が、前記第３波長変換器により波長帯が変換された前記第１出力信号光、及び前記第２出力信号光を合波することにより合波光を生成し、
出力ポートから前記合波光を出力することを特徴とする伝送方法。
【符号の説明】
【０２６３】
１，１ａ，４       設定処理部
４０，４０ａ〜４０ｄ，４１     波長多重部
２１ａ，２１ｂ，２８，３１，３６ａ，３６ｂ   波長変換器
２９，６７，４３ａ，４３ｂ     合波器
５１ａ，５１ｂ，５２ａ，５２ｂ，６５，６６   波長変換器
２４ａ〜２４ｆ，２５ａ〜２５ｆ    入力側ＷＳＳ
２６ａ〜２６ｆ      出力側ＷＳＳ
２２ａ〜２２ｄ，２３ａ，２３ｂ，２７ａ〜２７ｃ  光増幅器
【図１】
2020137042.tif 000003
【図２】
2020137042.tif 000004
【図３】
2020137042.tif 000005
【図４】
2020137042.tif 000006
【図５】
2020137042.tif 000007
【図６】
2020137042.tif 000008
【図７】
2020137042.tif 000009
【図８】
2020137042.tif 000010
【図９】
2020137042.tif 000011
【図１０】
2020137042.tif 000012
【図１１】
2020137042.tif 000013
【図１２】
2020137042.tif 000014
【図１３】
2020137042.tif 000015
【図１４】
2020137042.tif 000016
【図１５】
2020137042.tif 000017
【図１６】
2020137042.tif 000018
【図１７】
2020137042.tif 000019
【図１８】
2020137042.tif 000020
【図１９】
2020137042.tif 000021
【図２０】
2020137042.tif 000022
【図２１】
2020137042.tif 000023
【図２２】
2020137042.tif 000024
【図２３】
2020137042.tif 000025